(57)【特許請求の範囲】
【請求項１】
４つの搬送波が構成される通信システムにおいてハイブリッド自動再送要求−応答（ＨＡＲＱ−ＡＣＫ（Ｈｙｂｒｉｄ  Ａｕｔｏｍａｔｉｃ  Ｒｅｐｅａｔ  Ｒｅｑｕｅｓｔ−Ａｃｋｎｏｗｌｅｄｇｅｍｅｎｔ）情報を送信するための方法であって、
ユーザ装置によって、４つの搬送波のＨＡＲＱ−ＡＣＫ情報を符号化し、
前記ユーザ装置によって、前記４つの搬送波の符号化されたＨＡＲＱ−ＡＣＫ情報を基地局に送信することを含み、
前記４つの搬送波の符号化されたＨＡＲＱ−ＡＣＫ情報は、第１の符号語及び第２の符号語を含み、
前記第１の符号語は、デュアルキャリア−多入力多出力（ＤＣ−ＭＩＭＯ（Ｍｕｌｔｉｐｌｅ−Ｉｎｐｕｔ  Ｍｕｌｔｉｐｌｅ−Ｏｕｔｐｕｔ））の符号化方式に従って第１の搬送波及び第２の搬送波の符号化されたＨＡＲＱ−ＡＣＫ情報を表し、前記第２の符号語は、前記ＤＣ−ＭＩＭＯの符号化方式に従って第３の搬送波及び第４の搬送波の符号化されたＨＡＲＱ−ＡＣＫ情報を表し、
ＤＣ−ＭＩＭＯの符号化方式は下記の通りである、
【表１】
0005615969.tif 000137
0005615969.tif 000138
0005615969.tif 000139
表中、Ｄは不連続送信（ＤＴＸ）を表し、Ａは肯定応答（ＡＣＫ）を表し、Ｎは否定応答（ＮＡＣＫ）を表し、ＡＡはＡＣＫ＿ＡＣＫを表し、ＡＮはＡＣＫ＿ＮＡＣＫを表し、ＮＡはＮＡＣＫ＿ＡＣＫを表し、およびＮＮはＮＡＣＫ＿ＮＡＣＫを表す、
方法。
【請求項２】
前記第１の符号語及び前記第２の符号語は、２つのコードチャネルを使用して送信される、
請求項１に記載の方法。
【請求項３】
４つの搬送波が構成される通信システムにおいてハイブリッド自動再送要求−応答（ＨＡＲＱ−ＡＣＫ（Ｈｙｂｒｉｄ  Ａｕｔｏｍａｔｉｃ  Ｒｅｐｅａｔ  Ｒｅｑｕｅｓｔ−Ａｃｋｎｏｗｌｅｄｇｅｍｅｎｔ）情報を送信するためのユーザ装置であって、
４つの搬送波のＨＡＲＱ−ＡＣＫ情報を符号化するよう構成された符号化器と、
前記４つの搬送波の符号化されたＨＡＲＱ−ＡＣＫ情報を基地局に送信するよう構成された送信器と、
を含み、
前記４つの搬送波の符号化されたＨＡＲＱ−ＡＣＫ情報は、第１の符号語及び第２の符号語を含み、
前記第１の符号語は、デュアルキャリア−多入力多出力（ＤＣ−ＭＩＭＯ（Ｍｕｌｔｉｐｌｅ−Ｉｎｐｕｔ  Ｍｕｌｔｉｐｌｅ−Ｏｕｔｐｕｔ））の符号化方式に従って第１の搬送波及び第２の搬送波の符号化されたＨＡＲＱ−ＡＣＫ情報を表し、前記第２の符号語は、前記ＤＣ−ＭＩＭＯの符号化方式に従って第３の搬送波及び第４の搬送波の符号化されたＨＡＲＱ−ＡＣＫ情報を表し、
ＤＣ−ＭＩＭＯの符号化方式は下記の通りである、
【表２】
0005615969.tif 000140
0005615969.tif 000141
0005615969.tif 000142
表中、Ｄは不連続送信（ＤＴＸ）を表し、Ａは肯定応答（ＡＣＫ）を表し、Ｎは否定応答（ＮＡＣＫ）を表し、ＡＡはＡＣＫ＿ＡＣＫを表し、ＡＮはＡＣＫ＿ＮＡＣＫを表し、ＮＡはＮＡＣＫ＿ＡＣＫを表し、およびＮＮはＮＡＣＫ＿ＮＡＣＫを表す、
ユーザ装置。
【請求項４】
前記第１の符号語及び前記第２の符号語は、２つのコードチャネルを使用して送信される、
請求項３に記載のユーザ装置。
【請求項５】
コンピュータ可読記憶媒体であって、
コンピュータユニットにより実行されるとき、４つの搬送波が構成される通信システムにおいてハイブリッド自動再送要求−応答（ＨＡＲＱ−ＡＣＫ（Ｈｙｂｒｉｄ  Ａｕｔｏｍａｔｉｃ  Ｒｅｐｅａｔ  Ｒｅｑｕｅｓｔ−Ａｃｋｎｏｗｌｅｄｇｅｍｅｎｔ）情報を送信するための方法を前記コンピュータユニットに実行させるコンピュータプログラムコードを備え、前記方法は、
４つの搬送波のＨＡＲＱ−ＡＣＫ情報を符号化し、
前記４つの搬送波の符号化されたＨＡＲＱ−ＡＣＫ情報を基地局に送信することを含み、
前記４つの搬送波の符号化されたＨＡＲＱ−ＡＣＫ情報は、第１の符号語及び第２の符号語を含み、
前記第１の符号語は、デュアルキャリア−多入力多出力（ＤＣ−ＭＩＭＯ（Ｍｕｌｔｉｐｌｅ−Ｉｎｐｕｔ  Ｍｕｌｔｉｐｌｅ−Ｏｕｔｐｕｔ））の符号化方式に従って第１の搬送波及び第２の搬送波の符号化されたＨＡＲＱ−ＡＣＫ情報を表し、前記第２の符号語は、前記ＤＣ−ＭＩＭＯの符号化方式に従って第３の搬送波及び第４の搬送波の符号化されたＨＡＲＱ−ＡＣＫ情報を表し、
ＤＣ−ＭＩＭＯの符号化方式は下記の通りである、
【表３】
0005615969.tif 000143
0005615969.tif 000144
0005615969.tif 000145
表中、Ｄは不連続送信（ＤＴＸ）を表し、Ａは肯定応答（ＡＣＫ）を表し、Ｎは否定応答（ＮＡＣＫ）を表し、ＡＡはＡＣＫ＿ＡＣＫを表し、ＡＮはＡＣＫ＿ＮＡＣＫを表し、ＮＡはＮＡＣＫ＿ＡＣＫを表し、およびＮＮはＮＡＣＫ＿ＮＡＣＫを表す、
コンピュータ可読記憶媒体。
【請求項６】
４つの搬送波が構成される通信システムにおいてハイブリッド自動再送要求−応答（ＨＡＲＱ−ＡＣＫ（Ｈｙｂｒｉｄ  Ａｕｔｏｍａｔｉｃ  Ｒｅｐｅａｔ  Ｒｅｑｕｅｓｔ−Ａｃｋｎｏｗｌｅｄｇｅｍｅｎｔ）情報を受信するための方法であって、
基地局により、同時に多くとも前記４つの搬送波上でユーザ装置へのデータを送信し、
前記基地局により、前記データの受信に応じて、前記ユーザ装置から前記４つの搬送波の符号化されたＨＡＲＱ−ＡＣＫ情報を受信し、
前記４つの搬送波の符号化されたＨＡＲＱ−ＡＣＫ情報は、第１の符号語及び第２の符号語を含み、
前記第１の符号語は、デュアルキャリア−多入力多出力（ＤＣ−ＭＩＭＯ（Ｍｕｌｔｉｐｌｅ−Ｉｎｐｕｔ  Ｍｕｌｔｉｐｌｅ−Ｏｕｔｐｕｔ））の符号化方式に従って第１の搬送波及び第２の搬送波の符号化されたＨＡＲＱ−ＡＣＫ情報を表し、前記第２の符号語は、前記ＤＣ−ＭＩＭＯの符号化方式に従って第３の搬送波及び第４の搬送波の符号化されたＨＡＲＱ−ＡＣＫ情報を表し、
ＤＣ−ＭＩＭＯの符号化方式は下記の通りである、
【表４】
0005615969.tif 000146
0005615969.tif 000147
0005615969.tif 000148
表中、Ｄは不連続送信（ＤＴＸ）を表し、Ａは肯定応答（ＡＣＫ）を表し、Ｎは否定応答（ＮＡＣＫ）を表し、ＡＡはＡＣＫ＿ＡＣＫを表し、ＡＮはＡＣＫ＿ＮＡＣＫを表し、ＮＡはＮＡＣＫ＿ＡＣＫを表し、およびＮＮはＮＡＣＫ＿ＮＡＣＫを表す、
方法。
【請求項７】
前記第１の符号語及び前記第２の符号語は、２つのコードチャネルで受信される、
請求項６に記載の方法。
【請求項８】
４つの搬送波が構成される通信システムにおいてハイブリッド自動再送要求−応答（ＨＡＲＱ−ＡＣＫ（Ｈｙｂｒｉｄ  Ａｕｔｏｍａｔｉｃ  Ｒｅｐｅａｔ  Ｒｅｑｕｅｓｔ−Ａｃｋｎｏｗｌｅｄｇｅｍｅｎｔ）情報を受信するための基地局であって、
同時に多くとも前記４つの搬送波上でユーザ装置へのデータを送信するよう構成された送信器と、
前記データの受信に応じて、前記ユーザ装置から前記４つの搬送波の符号化されたＨＡＲＱ−ＡＣＫ情報を受信するよう構成された受信器と、
を含み、
前記４つの搬送波の符号化されたＨＡＲＱ−ＡＣＫ情報は、第１の符号語及び第２の符号語を含み、
前記第１の符号語は、デュアルキャリア−多入力多出力（ＤＣ−ＭＩＭＯ（Ｍｕｌｔｉｐｌｅ−Ｉｎｐｕｔ  Ｍｕｌｔｉｐｌｅ−Ｏｕｔｐｕｔ））の符号化方式に従って第１の搬送波及び第２の搬送波の符号化されたＨＡＲＱ−ＡＣＫ情報を表し、前記第２の符号語は、前記ＤＣ−ＭＩＭＯの符号化方式に従って第３の搬送波及び第４の搬送波の符号化されたＨＡＲＱ−ＡＣＫ情報を表し、
ＤＣ−ＭＩＭＯの符号化方式は下記の通りである、
【表５】
0005615969.tif 000149
0005615969.tif 000150
0005615969.tif 000151
表中、Ｄは不連続送信（ＤＴＸ）を表し、Ａは肯定応答（ＡＣＫ）を表し、Ｎは否定応答（ＮＡＣＫ）を表し、ＡＡはＡＣＫ＿ＡＣＫを表し、ＡＮはＡＣＫ＿ＮＡＣＫを表し、ＮＡはＮＡＣＫ＿ＡＣＫを表し、およびＮＮはＮＡＣＫ＿ＮＡＣＫを表す、
基地局。
【請求項９】
前記第１の符号語及び前記第２の符号語は、２つのコードチャネルで受信される、
請求項８に記載の基地局。
【請求項１０】
コンピュータ可読記憶媒体であって、
コンピュータユニットにより実行されるとき、４つの搬送波が構成される通信システムにおいてハイブリッド自動再送要求−応答（ＨＡＲＱ−ＡＣＫ（Ｈｙｂｒｉｄ  Ａｕｔｏｍａｔｉｃ  Ｒｅｐｅａｔ  Ｒｅｑｕｅｓｔ−Ａｃｋｎｏｗｌｅｄｇｅｍｅｎｔ）情報を受信するための方法を前記コンピュータユニットに実行させるコンピュータプログラムコードを備え、前記方法は、
同時に多くとも前記４つの搬送波上でユーザ装置へのデータを送信し、
前記データの受信に応じて、前記ユーザ装置から前記４つの搬送波の符号化されたＨＡＲＱ−ＡＣＫ情報を受信し、
前記４つの搬送波の符号化されたＨＡＲＱ−ＡＣＫ情報は、第１の符号語及び第２の符号語を含み、
前記第１の符号語は、デュアルキャリア−多入力多出力（ＤＣ−ＭＩＭＯ（Ｍｕｌｔｉｐｌｅ−Ｉｎｐｕｔ  Ｍｕｌｔｉｐｌｅ−Ｏｕｔｐｕｔ））の符号化方式に従って第１の搬送波及び第２の搬送波の符号化されたＨＡＲＱ−ＡＣＫ情報を表し、前記第２の符号語は、前記ＤＣ−ＭＩＭＯの符号化方式に従って第３の搬送波及び第４の搬送波の符号化されたＨＡＲＱ−ＡＣＫ情報を表し、
ＤＣ−ＭＩＭＯの符号化方式は下記の通りである、
【表６】
0005615969.tif 000152
0005615969.tif 000153
0005615969.tif 000154
表中、Ｄは不連続送信（ＤＴＸ）を表し、Ａは肯定応答（ＡＣＫ）を表し、Ｎは否定応答（ＮＡＣＫ）を表し、ＡＡはＡＣＫ＿ＡＣＫを表し、ＡＮはＡＣＫ＿ＮＡＣＫを表し、ＮＡはＮＡＣＫ＿ＡＣＫを表し、およびＮＮはＮＡＣＫ＿ＮＡＣＫを表す、
コンピュータ可読記憶媒体。
【請求項１１】
３つの搬送波が構成され且つ３つの搬送波のうちの少なくとも１つがＭＩＭＯ（Ｍｕｌｔｉｐｌｅ−Ｉｎｐｕｔ  Ｍｕｌｔｉｐｌｅ−Ｏｕｔｐｕｔ）方式を使用する通信システムにおいてハイブリッド自動再送要求−応答（ＨＡＲＱ−ＡＣＫ（Ｈｙｂｒｉｄ  Ａｕｔｏｍａｔｉｃ  Ｒｅｐｅａｔ  Ｒｅｑｕｅｓｔ−Ａｃｋｎｏｗｌｅｄｇｅｍｅｎｔ）情報を送信するための方法であって、
ユーザ装置によって、３つの搬送波のＨＡＲＱ−ＡＣＫ情報を符号化し、
前記ユーザ装置によって、前記３つの搬送波の符号化されたＨＡＲＱ−ＡＣＫ情報を基地局に送信することを含み、
前記３つの搬送波の符号化されたＨＡＲＱ−ＡＣＫ情報は、第１の符号語及び第２の符号語を含み、
前記第１の符号語は、デュアルキャリア−多入力多出力（ＤＣ−ＭＩＭＯ）の符号化方式に従って第１の搬送波及び第２の搬送波の符号化されたＨＡＲＱ−ＡＣＫ情報を表し、前記第２の符号語は、前記ＤＣ−ＭＩＭＯの符号化方式に従って第３の搬送波の符号化されたＨＡＲＱ−ＡＣＫ情報を表し、
ＤＣ−ＭＩＭＯの符号化方式は下記の通りである、
【表７】
0005615969.tif 000155
0005615969.tif 000156
0005615969.tif 000157
表中、Ｄは不連続送信（ＤＴＸ）を表し、Ａは肯定応答（ＡＣＫ）を表し、Ｎは否定応答（ＮＡＣＫ）を表し、ＡＡはＡＣＫ＿ＡＣＫを表し、ＡＮはＡＣＫ＿ＮＡＣＫを表し、ＮＡはＮＡＣＫ＿ＡＣＫを表し、およびＮＮはＮＡＣＫ＿ＮＡＣＫを表す、
方法。
【請求項１２】
前記第１の符号語及び前記第２の符号語は、２つのコードチャネルを使用して送信される、
請求項１１に記載の方法。
【請求項１３】
３つの搬送波が構成され且つ３つの搬送波のうちの少なくとも１つがＭＩＭＯ（Ｍｕｌｔｉｐｌｅ−Ｉｎｐｕｔ  Ｍｕｌｔｉｐｌｅ−Ｏｕｔｐｕｔ）方式を使用する通信システムにおいてハイブリッド自動再送要求−応答（ＨＡＲＱ−ＡＣＫ（Ｈｙｂｒｉｄ  Ａｕｔｏｍａｔｉｃ  Ｒｅｐｅａｔ  Ｒｅｑｕｅｓｔ−Ａｃｋｎｏｗｌｅｄｇｅｍｅｎｔ）情報を送信するユーザ装置であって、
３つの搬送波のＨＡＲＱ−ＡＣＫ情報を符号化するよう構成された符号化器と、
前記３つの搬送波の符号化されたＨＡＲＱ−ＡＣＫ情報を基地局に送信するよう構成された送信器と、
前記３つの搬送波の符号化されたＨＡＲＱ−ＡＣＫ情報は、第１の符号語及び第２の符号語を含み、
前記第１の符号語は、デュアルキャリア−多入力多出力（ＤＣ−ＭＩＭＯ）の符号化方式に従って第１の搬送波及び第２の搬送波の符号化されたＨＡＲＱ−ＡＣＫ情報を表し、前記第２の符号語は、前記ＤＣ−ＭＩＭＯの符号化方式に従って第３の搬送波の符号化されたＨＡＲＱ−ＡＣＫ情報を表し、
ＤＣ−ＭＩＭＯの符号化方式は下記の通りである、
【表８】
0005615969.tif 000158
0005615969.tif 000159
0005615969.tif 000160
表中、Ｄは不連続送信（ＤＴＸ）を表し、Ａは肯定応答（ＡＣＫ）を表し、Ｎは否定応答（ＮＡＣＫ）を表し、ＡＡはＡＣＫ＿ＡＣＫを表し、ＡＮはＡＣＫ＿ＮＡＣＫを表し、ＮＡはＮＡＣＫ＿ＡＣＫを表し、およびＮＮはＮＡＣＫ＿ＮＡＣＫを表す、
ユーザ装置。
【請求項１４】
前記第１の符号語及び前記第２の符号語は、２つのコードチャネルを使用して送信される、
請求項１３に記載のユーザ装置。
【請求項１５】
コンピュータ可読記憶媒体であって、
コンピュータユニットにより実行されるとき、３つの搬送波が構成され且つ３つの搬送波のうちの少なくとも１つがＭＩＭＯ（Ｍｕｌｔｉｐｌｅ−Ｉｎｐｕｔ  Ｍｕｌｔｉｐｌｅ−Ｏｕｔｐｕｔ）方式を使用する通信システムにおいてハイブリッド自動再送要求−応答（ＨＡＲＱ−ＡＣＫ（Ｈｙｂｒｉｄ  Ａｕｔｏｍａｔｉｃ  Ｒｅｐｅａｔ  Ｒｅｑｕｅｓｔ−Ａｃｋｎｏｗｌｅｄｇｅｍｅｎｔ）情報を送信するための方法を前記コンピュータユニットに実行させるコンピュータプログラムコードを備え、前記方法は、
３つの搬送波のＨＡＲＱ−ＡＣＫ情報を符号化し、
前記３つの搬送波の符号化されたＨＡＲＱ−ＡＣＫ情報を基地局に送信することを含み、
前記３つの搬送波の符号化されたＨＡＲＱ−ＡＣＫ情報は、第１の符号語及び第２の符号語を含み、
前記第１の符号語は、デュアルキャリア−多入力多出力（ＤＣ−ＭＩＭＯ）の符号化方式に従って第１の搬送波及び第２の搬送波の符号化されたＨＡＲＱ−ＡＣＫ情報を表し、前記第２の符号語は、前記ＤＣ−ＭＩＭＯの符号化方式に従って第３の搬送波の符号化されたＨＡＲＱ−ＡＣＫ情報を表し、
ＤＣ−ＭＩＭＯの符号化方式は下記の通りである、
【表９】
0005615969.tif 000161
0005615969.tif 000162
0005615969.tif 000163
表中、Ｄは不連続送信（ＤＴＸ）を表し、Ａは肯定応答（ＡＣＫ）を表し、Ｎは否定応答（ＮＡＣＫ）を表し、ＡＡはＡＣＫ＿ＡＣＫを表し、ＡＮはＡＣＫ＿ＮＡＣＫを表し、ＮＡはＮＡＣＫ＿ＡＣＫを表し、およびＮＮはＮＡＣＫ＿ＮＡＣＫを表す、
コンピュータ可読記憶媒体。
【請求項１６】
３つの搬送波が構成され且つ３つの搬送波のうちの少なくとも１つがＭＩＭＯ（Ｍｕｌｔｉｐｌｅ−Ｉｎｐｕｔ  Ｍｕｌｔｉｐｌｅ−Ｏｕｔｐｕｔ）方式を使用する通信システムにおいてハイブリッド自動再送要求−応答（ＨＡＲＱ−ＡＣＫ（Ｈｙｂｒｉｄ  Ａｕｔｏｍａｔｉｃ  Ｒｅｐｅａｔ  Ｒｅｑｕｅｓｔ−Ａｃｋｎｏｗｌｅｄｇｅｍｅｎｔ）情報を受信するための方法であって、
基地局により、同時に多くとも前記３つの搬送波上でユーザ装置へのデータを送信し、
前記基地局により、前記データの受信に応じて、前記ユーザ装置から前記３つの搬送波の符号化されたＨＡＲＱ−ＡＣＫ情報を受信し、
前記３つの搬送波の符号化されたＨＡＲＱ−ＡＣＫ情報は、第１の符号語及び第２の符号語を含み、
前記第１の符号語は、デュアルキャリア−多入力多出力（ＤＣ−ＭＩＭＯ）の符号化方式に従って第１の搬送波及び第２の搬送波の符号化されたＨＡＲＱ−ＡＣＫ情報を表し、前記第２の符号語は、前記ＤＣ−ＭＩＭＯの符号化方式に従って第３の搬送波の符号化されたＨＡＲＱ−ＡＣＫ情報を表し、
ＤＣ−ＭＩＭＯの符号化方式は下記の通りである、
【表１０】
0005615969.tif 000164
0005615969.tif 000165
0005615969.tif 000166
表中、Ｄは不連続送信（ＤＴＸ）を表し、Ａは肯定応答（ＡＣＫ）を表し、Ｎは否定応答（ＮＡＣＫ）を表し、ＡＡはＡＣＫ＿ＡＣＫを表し、ＡＮはＡＣＫ＿ＮＡＣＫを表し、ＮＡはＮＡＣＫ＿ＡＣＫを表し、およびＮＮはＮＡＣＫ＿ＮＡＣＫを表す、
方法。
【請求項１７】
前記第１の符号語及び前記第２の符号語は、２つのコードチャネルで受信される、
請求項１６に記載の方法。
【請求項１８】
３つの搬送波が構成され且つ３つの搬送波のうちの少なくとも１つがＭＩＭＯ（Ｍｕｌｔｉｐｌｅ−Ｉｎｐｕｔ  Ｍｕｌｔｉｐｌｅ−Ｏｕｔｐｕｔ）方式を使用する通信システムにおいてハイブリッド自動再送要求−応答（ＨＡＲＱ−ＡＣＫ（Ｈｙｂｒｉｄ  Ａｕｔｏｍａｔｉｃ  Ｒｅｐｅａｔ  Ｒｅｑｕｅｓｔ−Ａｃｋｎｏｗｌｅｄｇｅｍｅｎｔ）情報を受信するための基地局であって、
同時に多くとも前記３つの搬送波上でユーザ装置へのデータを送信するよう構成された送信器と、
前記データの受信に応じて、前記ユーザ装置から前記３つの搬送波の符号化されたＨＡＲＱ−ＡＣＫ情報を受信するよう構成された受信器と、
前記３つの搬送波の符号化されたＨＡＲＱ−ＡＣＫ情報は、第１の符号語及び第２の符号語を含み、
前記第１の符号語は、デュアルキャリア−多入力多出力（ＤＣ−ＭＩＭＯ）の符号化方式に従って第１の搬送波及び第２の搬送波の符号化されたＨＡＲＱ−ＡＣＫ情報を表し、前記第２の符号語は、前記ＤＣ−ＭＩＭＯの符号化方式に従って第３の搬送波の符号化されたＨＡＲＱ−ＡＣＫ情報を表し、
ＤＣ−ＭＩＭＯの符号化方式は下記の通りである、
【表１１】
0005615969.tif 000167
0005615969.tif 000168
0005615969.tif 000169
表中、Ｄは不連続送信（ＤＴＸ）を表し、Ａは肯定応答（ＡＣＫ）を表し、Ｎは否定応答（ＮＡＣＫ）を表し、ＡＡはＡＣＫ＿ＡＣＫを表し、ＡＮはＡＣＫ＿ＮＡＣＫを表し、ＮＡはＮＡＣＫ＿ＡＣＫを表し、およびＮＮはＮＡＣＫ＿ＮＡＣＫを表す、
基地局。
【請求項１９】
前記第１の符号語及び前記第２の符号語は、２つのコードチャネルで受信される、
請求項１８に記載の基地局。
【請求項２０】
コンピュータ可読記憶媒体であって、
コンピュータユニットにより実行されるとき、３つの搬送波が構成され且つ３つの搬送波のうちの少なくとも１つがＭＩＭＯ（Ｍｕｌｔｉｐｌｅ−Ｉｎｐｕｔ  Ｍｕｌｔｉｐｌｅ−Ｏｕｔｐｕｔ）方式を使用する通信システムにおいてハイブリッド自動再送要求−応答（ＨＡＲＱ−ＡＣＫ（Ｈｙｂｒｉｄ  Ａｕｔｏｍａｔｉｃ  Ｒｅｐｅａｔ  Ｒｅｑｕｅｓｔ−Ａｃｋｎｏｗｌｅｄｇｅｍｅｎｔ）情報を受信するための方法を前記コンピュータユニットに実行させるコンピュータプログラムコードを備え、前記方法は、
同時に多くとも前記３つの搬送波上でユーザ装置へのデータを送信し、
前記データの受信に応じて、前記ユーザ装置から前記３つの搬送波の符号化されたＨＡＲＱ−ＡＣＫ情報を受信し、
前記３つの搬送波の符号化されたＨＡＲＱ−ＡＣＫ情報は、第１の符号語及び第２の符号語を含み、
前記第１の符号語は、デュアルキャリア−多入力多出力（ＤＣ−ＭＩＭＯ）の符号化方式に従って第１の搬送波及び第２の搬送波の符号化されたＨＡＲＱ−ＡＣＫ情報を表し、前記第２の符号語は、前記ＤＣ−ＭＩＭＯの符号化方式に従って第３の搬送波の符号化されたＨＡＲＱ−ＡＣＫ情報を表し、
ＤＣ−ＭＩＭＯの符号化方式は下記の通りである、
【表１２】
0005615969.tif 000170
0005615969.tif 000171
0005615969.tif 000172
表中、Ｄは不連続送信（ＤＴＸ）を表し、Ａは肯定応答（ＡＣＫ）を表し、Ｎは否定応答（ＮＡＣＫ）を表し、ＡＡはＡＣＫ＿ＡＣＫを表し、ＡＮはＡＣＫ＿ＮＡＣＫを表し、ＮＡはＮＡＣＫ＿ＡＣＫを表し、およびＮＮはＮＡＣＫ＿ＮＡＣＫを表す、
コンピュータ可読記憶媒体。
【発明の詳細な説明】
【技術分野】
【０００１】
本発明は通信技術の分野に関し、より詳細には、信号符号化方法、信号符号化装置、および統合フィードバック信号を符号化する方法に関する。
【背景技術】
【０００２】
ハイブリッド自動再送要求（ＨＡＲＱ：Ｈｙｂｒｉｄ  Ａｕｔｏｍａｔｉｃ  Ｒｅｐｅａｔ  Ｒｅｑｕｅｓｔ）の過程において、ユーザ端末（ＵＥ：Ｕｓｅｒ  Ｅｑｕｉｐｍｅｎｔ）は高速共有制御チャネル（ＨＳ−ＳＣＣＨ：Ｈｉｇｈ  Ｓｐｅｅｄ−Ｓｈａｒｅｄ
Ｃｏｎｔｒｏｌ  Ｃｈａｎｎｅｌ）をモニタする。データが受け取られない場合、ＵＥは作動せず、これはＵＥが基地局（ノードＢ）に情報を送信しないこととみなすことができる。この場合ノードＢは、フィードバック情報が不連続送信（ＤＴＸ）情報であるとみなす。データが受け取られる場合、高速ダウンリンク共用チャネル（ＨＳ−ＤＳＣＨ：ｈｉｇｈ  ｓｐｅｅｄ−ｄｏｗｎｌｉｎｋ  ｓｈａｒｅｄ  ｃｈａｎｎｅｌ）上のデータが制御チャネル情報に従って検出される。受け取ったデータが正しい場合には、肯定応答（ＡＣＫ：Ａｃｋｎｏｗｌｅｄｇｅｍｅｎｔ）情報がノードＢに送信される。受け取ったデータが正しくない場合には、否定応答（ＮＡＣＫ：Ｎｅｇａｔｉｖｅ  Ａｃｋｎｏｗｌｅｄｇｅｍｅｎｔ）情報がノードＢに送信される。ＤＴＸ、ＡＣＫ、ＮＡＣＫ情報を一般に、ハイブリッド自動再送要求−応答（ＨＡＲＱ−ＡＣＫ：Ｈｙｂｒｉｄ  Ａｕｔｏｍａｔｉｃ  Ｒｅｐｅａｔ  Ｒｅｑｕｅｓｔ−Ａｃｋｎｏｗｌｅｄｇｅｍｅｎｔ）情報という。送信された情報は符号化され、上り高速専用物理制御チャネル（ＨＳ−ＤＰＣＣＨ：Ｈｉｇｈ  Ｓｐｅｅｄ−Ｄｅｄｉｃａｔｅｄ  Ｐｈｙｓｉｃａｌ  Ｃｏｎｔｒｏｌ  Ｃｈａｎｎｅｌ）を介してノードＢに送信される。ノードＢはフィードバック情報を受信し、復号する。フィードバック情報がＡＣＫである場合には新しいデータが送信される。フィードバック情報がＮＡＣＫである場合にはデータが再送信される。フィードバック情報がＤＴＸである場合には新しいデータが再送信される。
【０００３】
デュアルキャリア（デュアルセル）−高速ダウンリンク・パケット・アクセス（ＤＣ−ＨＳＤＰＡ：Ｄｕａｌ  Ｃａｒｒｉｅｒ  （Ｄｕａｌ  Ｃｅｌｌ）−Ｈｉｇｈ  Ｓｐｅｅｄ  Ｄｏｗｎｌｉｎｋ  Ｐａｃｋｅｔ  Ａｃｃｅｓｓ）技術では、下りのマルチキャリアがフィードバックに２つのＨＳ−ＤＰＣＣＨチャネルを使用する場合、電力が制限される事態が発生し、カバレージに影響を及ぼす。電力リソースを節約するためには、ＵＥが多入力多出力（ＭＩＭＯ：Ｍｕｌｔｉｐｌｅ−Ｉｎｐｕｔ  Ｍｕｌｔｉｐｌｅ−Ｏｕｔｐｕｔ）で構成されていない事例では、デュアルキャリアの２つの搬送波が情報フィードバックに１つのＨＳ−ＤＰＣＣＨだけを使用することが実行可能な技術的解決法である。よって、統合符号化が２つの搬送波（セル）のフィードバック情報に対して行われる必要がある。この符号化は、様々なＨＡＲＱ−ＡＣＫ統合信号を１０ビットの０−１シーケンスへとマップするものである。
【０００４】
第３世代パートナーシッププロジェクト（３ＧＰＰ：ｔｈｅ  ３ｒｄ  Ｇｅｎｅｒａｔｉｏｎ  Ｐａｒｔｎｅｒｓｈｉｐ  Ｐｒｏｊｅｃｔ）プロトコルの技術仕様書（ＴＳ：Ｔｅｃｈｎｉｃａｌ  Ｓｐｅｃｉｆｉｃａｔｉｏｎ）２５．２１２のリリース５（Ｒ５）では、ＭＩＭＯなしで構成されたシングルキャリアのための符号化方式が提供される。この事例では、全部で３つの信号、すなわち、ＡＣＫ、ＮＡＣＫ、およびＤＴＸがフィードバックされる必要がある。ＡＣＫおよびＮＡＣＫは表１−１に示すような符号語を使用する必要がある。
表１−１  ＭＩＭＯなしで構成されたシングルキャリアのためのＨＡＲＱ−ＡＣＫ符号化方式
【表１】
0005615969.tif 000002
【０００５】
３ＧＰＰプロトコルのＴＳ２５．２１２のリリース６（Ｒ６）では、ＵＥの送信電力を低減するためにプリアンブル（ＰＲＥ：ｐｒｅａｍｂｌｅ）およびポストアンブル（ＰＯＳＴ：ｐｏｓｔａｍｂｌｅ）送信モードが導入され、そのため、２つの新しい信号ＰＲＥおよびＰＯＳＴが導入され、リリース７（Ｒ７）およびリリース８（Ｒ８）ではさらにこれら２つの信号の符号語が使用される。
【０００６】
３ＧＰＰプロトコルのＴＳ２５．２１２のリリース７（Ｒ７）では、ＭＩＭＯで構成されたシングルキャリアのための符号化方式が提供される。この方式はシングルストリームモードとデュアルストリームモードとを含み、それぞれ、３つの信号と５つの信号とがフィードバックされる必要がある。シングルストリームモードでフィードバックされる信号はＡＣＫ、ＮＡＣＫ、およびＤＴＸである。デュアルストリームモードはストリーム１とストリーム２を含み、フィードバックされる信号は、「ストリーム１フィードバック信号＿ストリーム２フィードバック信号」の形で表すことができる。具体的には、デュアルストリームモードでフィードバックされる信号は、ＡＣＫ＿ＡＣＫ、ＡＣＫ＿ＮＡＣＫ、ＮＡＣＫ＿ＡＣＫ、ＮＡＣＫ＿ＮＡＣＫ、およびＤＴＸとすることができる。その場合ＤＴＸは、ストリーム１とストリーム２のフィードバック信号がＤＴＸであることを表す。ＤＴＸ以外に、このフィードバック方式は全部で６個の符号語を必要とする。ＰＲＥ／ＰＯＳＴ送信モードが用いられるとき、ＰＲＥ／ＰＯＳＴは、表１−２に示すように、Ｒ６のＰＲＥ／ＰＯＳＴと同じである。
表１−２  ＭＩＭＯで構成されたシングルキャリアのためのＨＡＲＱ−ＡＣＫ符号化方式
【表２】
0005615969.tif 000003
【０００７】
３ＧＰＰプロトコルのＴＳ２５．２１２のＲ８では、ＭＩＭＯなしで構成されたデュアルキャリアのための符号化方式が提供される。この方式は９つの信号をフィードバックする必要があり、８個の符号語が必要とされる（ＤＴＸは符号語を使用する必要がない）。ＰＲＥ／ＰＯＳＴ送信モードが用いられるとき、ＰＲＥ／ＰＯＳＴは、表１−３に示すように、Ｒ６のＰＲＥ／ＰＯＳＴと同じである。
表１−３  ＭＩＭＯなしで構成されたデュアルキャリアのためのＨＡＲＱ−ＡＣＫ符号化方式
【表３】
0005615969.tif 000004
【０００８】
目下のところ、ＤＣ−ＨＳＤＰＡをＭＩＭＯと組み合わせる技術（ＤＣ−ＭＩＭＯ）に関する研究はまだ開始されておらず、先行技術の研究を通じて本発明の発明者は、ＤＣ−ＭＩＭＯ問題を解決するのに先行技術が用いられる場合、最も直接的な方法は２つのコードチャネルを用いるものであり、各搬送波が１つのコードチャネルを使用し、その場合、表１−２に示すような符号化方式が各搬送波に対して用いられることを見出した。この方法は、ＨＡＲＱ−ＡＣＫ信号をフィードバックするために構成される過大な電力を消費する必要がある。普通、消費される電力は、シングルキャリアによって消費される電力の２倍になり、システムのキュービックメトリック（ＣＭ：ｃｕｂｉｃ  ｍｅｔｒｉｃ）値が増大し、システムの性能に影響を及ぼす。
【発明の概要】
【発明が解決しようとする課題】
【０００９】
本発明の実施形態は、２つの搬送波の統合フィードバック信号を符号化し、ＤＣ−ＭＩＭＯモードにおいてコードチャネル上でフィードバックを提供する方法を対象とする。
【課題を解決するための手段】
【００１０】
本発明の一実施形態では信号符号化方法が提供され、この方法は以下のステップを含む。
【００１１】
２つの搬送波がＭＩＭＯで構成されているときに、２つの搬送波のＨＡＲＱ−ＡＣＫ信号が統合フィードバック信号へと合成される。
【００１２】
信号と符号語との所定のマッピング関係に従い、統合フィードバック信号が符号語へとマップされる。
【００１３】
本発明の一実施形態では信号符号化装置が提供され、この装置は統合フィードバック信号合成モジュールと符号器モジュールとを含む。
【００１４】
統合フィードバック信号合成モジュールは、２つの搬送波がＭＩＭＯで構成されているときに、２つの搬送波のＨＡＲＱ−ＡＣＫ信号を統合フィードバック信号へと合成するように構成されている。
【００１５】
符号器モジュールは、信号と符号語との所定のマッピング関係に従い、統合フィードバック信号を符号語へとマップするように構成されている。
【００１６】
本発明の一実施形態では統合フィードバック信号を符号化する方法が提供され、この方法は以下のステップを含む。
【００１７】
送信モードごとに、特定の符号距離関係を満たすコードブック構造またはそれと等価のコードブック構造が選択され、各送信モードの統合フィードバック信号が符号化される。
【００１８】
送信モードは、具体的には、シングルストリーム−ＤＴＸ、ＤＴＸ−シングルストリーム、デュアルストリーム−ＤＴＸ、ＤＴＸ−デュアルストリーム、シングルストリーム−シングルストリーム、デュアルストリーム−シングルストリーム、シングルストリーム−デュアルストリーム、デュアルストリーム−デュアルストリームを含む。
【００１９】
シングルストリーム−ＤＴＸまたはＤＴＸ−シングルストリーム送信モードに対応するコードブック構造の型は、Ａ−Ｂまたは２Ａを含む。このコードブック構造に含まれる符号語は、それぞれ、Ａ１およびＢ１またはＡ１およびＡ２である。
【００２０】
デュアルストリーム−ＤＴＸまたはＤＴＸ−デュアルストリーム送信モードに対応するコードブック構造の型は、４Ａ、または３Ａ−Ｃ、または２Ａ−２Ｃ、またはＡ−Ｂ−２Ｃ、またはＡ−Ｂ−Ｃ−Ｄを含む。このコードブック構造に含まれる符号語はそれぞれ、Ａ１、Ａ２、Ａ３、Ａ４、またはＡ１、Ａ２、Ａ３、Ｃ１、またはＡ１、Ａ２、Ｃ１、Ｃ２、またはＡ１、Ｂ１、Ｃ１、Ｃ２、またはＡ１、Ｂ１、Ｃ１、Ｄ１である。
【００２１】
シングルストリーム−シングルストリーム送信モードに対応するコードブック構造の型は、２Ａ−２Ｂ−２Ｃ−２Ｄ、またはＡ−Ｂ−５Ｃ−Ｄ、または２Ａ−２Ｂ−４Ｃ、またはＡ−Ｂ−６Ｃ、または２Ａ−６Ｃ、または４Ａ−４Ｃを含む。このコードブック構造に含まれる符号語はそれぞれ、Ａ１、Ａ２、Ｂ１、Ｂ２、Ｃ１、Ｃ２、Ｄ１、Ｄ２、またはＡ１、Ｂ１、Ｃ１、Ｃ２、Ｃ３、Ｃ４、Ｃ５、Ｄ１、またはＡ１、Ａ２、Ｂ１、Ｂ２、Ｃ１、Ｃ２、Ｃ３、Ｃ４、またはＡ１、Ｂ１、Ｃ１、Ｃ２、Ｃ３、Ｃ４、Ｃ５、Ｃ６、またはＡ１、Ａ２、Ｃ１、Ｃ２、Ｃ３、Ｃ４、Ｃ５、Ｃ６、またはＡ１、Ａ２、Ａ３、Ａ４、Ｃ１、Ｃ２、Ｃ３、Ｃ４である。
【００２２】
デュアルストリーム−シングルストリームまたはシングルストリーム−デュアルストリーム送信モードに対応するコードブック構造の型は、６Ａ−２Ｂ−６Ｃ、または６Ａ−Ｂ−６Ｃ−Ｄ、または６Ａ−３Ｃ−３Ｄ−Ｅ−Ｆ、または４Ａ−４Ｂ−３Ｃ−３Ｄ、または４Ａ−３Ｂ−６Ｃ−Ｄ、または｛Ａ１，Ａ２，Ａ５，Ａ６｝∪２Ｂ−３Ｃ−３Ｄ−Ｅ−Ｆ、または６Ａ−２Ｂ−２Ｃ−Ｄ∪｛Ｄ３〜Ｄ５｝を含む。このコードブック構造に含まれる符号語はそれぞれ、Ａ１、Ａ２、Ａ３、Ａ４、Ａ５、Ａ６、Ｂ１、Ｂ２、Ｃ１、Ｃ２、Ｃ３、Ｃ４、Ｃ５、Ｃ６、またはＡ１、Ａ２、Ａ３、Ａ４、Ａ５、Ａ６、Ｂ１、Ｃ１、Ｃ２、Ｃ３、Ｃ４、Ｃ５、Ｃ６、Ｄ１、またはＡ１、Ａ２、Ａ３、Ａ４、Ａ５、Ａ６、Ｃ１、Ｃ２、Ｃ３、Ｄ１、Ｄ２、Ｄ３、Ｅ１、Ｆ１、またはＡ１、Ａ２、Ａ３、Ａ４、Ｂ１、Ｂ２、Ｂ３、Ｂ４、Ｃ１、Ｃ２、Ｃ３、Ｄ１、Ｄ２、Ｄ３、またはＡ１、Ａ２、Ａ３、Ａ４、Ｂ１、Ｂ２、Ｂ３、Ｃ１、Ｃ２、Ｃ３、Ｃ４、Ｃ５、Ｃ６、Ｄ１、またはＡ１、Ａ２、Ａ５、Ａ６、Ｂ１、Ｂ２、Ｃ１、Ｃ２、Ｃ３、Ｄ１、Ｄ２、Ｄ３、Ｅ１、Ｆ１、またはＡ１、Ａ２、Ａ３、Ａ４、Ａ５、Ａ６、Ｂ１、Ｂ２、Ｃ１、Ｃ２、Ｄ１、Ｄ３、Ｄ４、Ｄ５である。
【００２３】
デュアルストリーム−デュアルストリーム送信モードに対応するコードブック構造の型は６Ａ−６Ｂ−６Ｃ−６Ｄを含む。このコードブック構造に含まれる符号語は、Ａ１、Ａ２、Ａ３、Ａ４、Ａ５、Ａ６、Ｂ１、Ｂ２、Ｂ３、Ｂ４、Ｂ５、Ｂ６、Ｃ１、Ｃ２、Ｃ３、Ｃ４、Ｃ５、Ｃ６、Ｄ１、Ｄ２、Ｄ３、Ｄ４、Ｄ５、Ｄ６である。あるいは、デュアルストリーム−デュアルストリーム送信モードに対応するコードブック構造の型はさらに、１６Ｇ−１６Ｈから無作為に選択された２４個の符号語からなるコードブック構造を含む。
【００２４】
前述のすべての符号語間の符号距離関係を以下の表１−４から表１−９に示す。
表１−４
【表４】
0005615969.tif 000005
0005615969.tif 000006
表１−５
【表５】
0005615969.tif 000007
0005615969.tif 000008
表１−６
【表６】
0005615969.tif 000009
表１−７
【表７】
0005615969.tif 000010
表１−８
【表８】
0005615969.tif 000011
表１−９
【表９】
0005615969.tif 000012
【００２５】
表１−４から表１−９の値は対応する符号語間の符号距離を表す。
【００２６】
本発明の一実施形態では、Ｘｉｊが統合フィードバック信号を表すときに、前記統合フィードバック信号のプライマリキャリアフィードバック信号は数ｉ（０≦ｉ≦６）に対応する信号であり、前記統合フィードバック信号のセカンダリキャリアフィードバック信号は数ｊ（０≦ｊ≦６）に対応する信号であり、数０〜６に対応する信号は、順に、ＤＴＸ、肯定応答（ＡＣＫ：ＡＣＫｎｏｗｌｅｄｇｅｍｅｎｔ）、否定応答（ＮＡＣＫ：Ｎｅｇａｔｉｖｅ  ＡＣＫｎｏｗｌｅｄｇｅｍｅｎｔ）、ＡＣＫ＿ＡＣＫ、ＡＣＫ＿ＮＡＣＫ、ＮＡＣＫ＿ＡＣＫ、およびＮＡＣＫ＿ＮＡＣＫである。
【００２７】
シングルストリーム−シングルストリーム送信モードに対応するコードブック構造に含まれる符号語がＡ１、Ａ２、Ｂ１、Ｂ２、Ｃ１、Ｃ２、Ｄ１、Ｄ２であるときに、統合フィードバック信号Ｘ１１、Ｘ１２、Ｘ１０、Ｘ２１、Ｘ２２、Ｘ２０、Ｘ０１、Ｘ０２はそれぞれ、Ｄ２、Ｂ２、Ａ１、Ａ２、Ｃ２、Ｂ１、Ｃ１、Ｄ１へと符号化される。
【００２８】
シングルストリーム−シングルストリーム送信モードに対応するコードブック構造に含まれる符号語がＡ１、Ｂ１、Ｃ１、Ｃ２、Ｃ３、Ｃ４、Ｃ５、Ｄ１であるときに、統合フィードバック信号Ｘ１１、Ｘ１２、Ｘ１０、Ｘ２１、Ｘ２２、Ｘ２０、Ｘ０１、Ｘ０２はそれぞれ、Ｃ２、Ｃ３、Ａ１、Ｃ４、Ｃ５、Ｂ１、Ｃ１、Ｄ１へと符号化される。
【００２９】
シングルストリーム−シングルストリーム送信モードに対応するコードブック構造に含まれる符号語がＡ１、Ａ２、Ｂ１、Ｂ２、Ｃ１、Ｃ２、Ｃ３、Ｃ４であるときに、統合フィードバック信号Ｘ１１、Ｘ１２、Ｘ１０、Ｘ２１、Ｘ２２、Ｘ２０、Ｘ０１、Ｘ０２はそれぞれ、Ｃ１、Ｃ２、Ａ１、Ｃ３、Ｃ４、Ｂ１、Ａ２、Ｂ２へと符号化される。
【００３０】
本発明の別の実施形態では、シングルストリーム−デュアルストリーム送信モードに対応するコードブック構造に含まれる符号語がＡ１、Ａ２、Ａ３、Ａ４、Ａ５、Ａ６、Ｃ１、Ｃ２、Ｃ３、Ｄ１、Ｄ２、Ｄ３、Ｅ１、Ｆ１であるときに、統合フィードバック信号Ｘ１０、Ｘ１３、Ｘ１４、Ｘ１５、Ｘ１６、Ｘ２０、Ｘ２３、Ｘ２４、Ｘ２５、Ｘ２６、Ｘ０３、Ｘ０４、Ｘ０５、Ｘ０６はそれぞれ、Ｅ１、Ａ３、Ｃ１、Ｃ２、Ａ４、Ｆ１、Ｃ３、Ｄ２、Ｄ１、Ｄ３、Ａ１、Ａ２、Ａ５、Ａ６へと符号化される。
【００３１】
シングルストリーム−デュアルストリーム送信モードに対応するコードブック構造に含まれる符号語がＡ１、Ａ２、Ａ３、Ａ４、Ａ５、Ａ６、Ｂ１、Ｂ２、Ｃ１、Ｃ２、Ｃ３、Ｃ４、Ｃ５、Ｃ６であるときに、統合フィードバック信号Ｘ１０、Ｘ１３、Ｘ１４、Ｘ１５、Ｘ１６、Ｘ２０、Ｘ２３、Ｘ２４、Ｘ２５、Ｘ２６、Ｘ０３、Ｘ０４、Ｘ０５、Ｘ０６はそれぞれ、Ａ１、Ｃ１、Ｃ２、Ｃ３、Ａ３、Ｂ１、Ｃ４、Ｃ５、Ｃ６、Ｂ２、Ａ２、Ａ４、Ａ５、Ａ６へと符号化される。
【００３２】
シングルストリーム−デュアルストリーム送信モードに対応するコードブック構造に含まれる符号語がＡ１、Ａ２、Ａ３、Ａ４、Ａ５、Ａ６、Ｂ１、Ｂ２、Ｃ１、Ｃ２、Ｃ３、Ｃ４、Ｃ５、Ｃ６であるときに、統合フィードバック信号Ｘ１０、Ｘ１３、Ｘ１４、Ｘ１５、Ｘ１６、Ｘ２０、Ｘ２３、Ｘ２４、Ｘ２５、Ｘ２６、Ｘ０３、Ｘ０４、Ｘ０５、Ｘ０６はそれぞれ、Ａ１、Ｃ５、Ａ２、Ａ３、Ｃ６、Ｂ１、Ａ４、Ａ５、Ａ６、Ｂ２、Ｃ１、Ｃ２、Ｃ３、Ｃ４へと符号化される。
【００３３】
シングルストリーム−デュアルストリーム送信モードに対応するコードブック構造に含まれる符号語がＡ１、Ａ２、Ａ３、Ａ４、Ａ５、Ａ６、Ｂ１、Ｂ２、Ｃ１、Ｃ２、Ｄ１、Ｄ３、Ｄ４、Ｄ５であるときに、統合フィードバック信号Ｘ１０、Ｘ１３、Ｘ１４、Ｘ１５、Ｘ１６、Ｘ２０、Ｘ２３、Ｘ２４、Ｘ２５、Ｘ２６、Ｘ０３、Ｘ０４、Ｘ０５、Ｘ０６はそれぞれ、Ｃ１、Ｄ３、Ｄ４、Ｄ５、Ｃ２、Ｄ１、Ｂ２、Ａ５、Ａ６、Ｂ１、Ａ１、Ａ２、Ａ３、Ａ４へと符号化される。
【００３４】
本発明のさらに別の実施形態では、デュアルストリーム−シングルストリーム送信モードに対応するコードブック構造に含まれる符号語がＡ１、Ａ２、Ａ３、Ａ４、Ａ５、Ａ６、Ｃ１、Ｃ２、Ｃ３、Ｄ１、Ｄ２、Ｄ３、Ｅ１、Ｆ１であるときに、統合フィードバック信号Ｘ０１、Ｘ０２、Ｘ３１、Ｘ３２、Ｘ３０、Ｘ４１、Ｘ４２、Ｘ４０、Ｘ５１、Ｘ５２、Ｘ５０、Ｘ６１、Ｘ６２、Ｘ６０はそれぞれ、Ｅ１、Ｆ１、Ａ３、Ｃ３、Ａ１、Ｃ１、Ｄ２、Ａ２、Ｃ２、Ｄ１、Ａ５、Ａ４、Ｄ３、Ａ６へと符号化される。
【００３５】
デュアルストリーム−シングルストリーム送信モードに対応するコードブック構造に含まれる符号語がＡ１、Ａ２、Ａ３、Ａ４、Ａ５、Ａ６、Ｂ１、Ｂ２、Ｃ１、Ｃ２、Ｃ３、Ｃ４、Ｃ５、Ｃ６であるときに、統合フィードバック信号Ｘ０１、Ｘ０２、Ｘ３１、Ｘ３２、Ｘ３０、Ｘ４１、Ｘ４２、Ｘ４０、Ｘ５１、Ｘ５２、Ｘ５０、Ｘ６１、Ｘ６２、Ｘ６０はそれぞれ、Ａ１、Ｂ１、Ｃ１、Ｃ４、Ａ２、Ｃ２、Ｃ５、Ａ４、Ｃ３、Ｃ６、Ａ５、Ａ３、Ｂ２、Ａ６へと符号化される。
【００３６】
デュアルストリーム−シングルストリーム送信モードに対応するコードブック構造に含まれる符号語がＡ１、Ａ２、Ａ３、Ａ４、Ａ５、Ａ６、Ｂ１、Ｂ２、Ｃ１、Ｃ２、Ｃ３、Ｃ４、Ｃ５、Ｃ６であるときに、統合フィードバック信号Ｘ０１、Ｘ０２、Ｘ３１、Ｘ３２、Ｘ３０、Ｘ４１、Ｘ４２、Ｘ４０、Ｘ５１、Ｘ５２、Ｘ５０、Ｘ６１、Ｘ６２、Ｘ６０はそれぞれ、Ａ１、Ｂ１、Ｃ５、Ａ４、Ｃ１、Ａ２、Ａ５、Ｃ２、Ａ３、Ａ６、Ｃ３、Ｃ６、Ｂ２、Ｃ４へと符号化される。
【００３７】
デュアルストリーム−シングルストリーム送信モードに対応するコードブック構造に含まれる符号語がＡ１、Ａ２、Ａ５、Ａ６、Ｂ１、Ｂ２、Ｃ１、Ｃ２、Ｃ３、Ｄ１、Ｄ２、Ｄ３、Ｅ１、Ｆ１であるときに、統合フィードバック信号Ｘ０１、Ｘ０２、Ｘ３１、Ｘ３２、Ｘ３０、Ｘ４１、Ｘ４２、Ｘ４０、Ｘ５１、Ｘ５２、Ｘ５０、Ｘ６１、Ｘ６２、Ｘ６０はそれぞれ、Ｅ１、Ｆ１、Ｂ２、Ｃ３、Ａ１、Ｃ１、Ｄ２、Ａ２、Ｃ２、Ｄ１、Ａ５、Ｄ３、Ｂ１、Ａ６へと符号化される。
【００３８】
デュアルストリーム−シングルストリーム送信モードに対応するコードブック構造に含まれる符号語がＡ１、Ａ２、Ａ３、Ａ４、Ｂ１、Ｂ２、Ｂ３、Ｃ１、Ｃ２、Ｃ３、Ｃ４、Ｃ５、Ｃ６、Ｄ１であるときに、統合フィードバック信号Ｘ０１、Ｘ０２、Ｘ３１、Ｘ３２、Ｘ３０、Ｘ４１、Ｘ４２、Ｘ４０、Ｘ５１、Ｘ５２、Ｘ５０、Ｘ６１、Ｘ６２、Ｘ６０はそれぞれ、Ｄ１、Ｃ１、Ｃ２、Ｂ２、Ａ１、Ｃ３、Ｂ３、Ａ２、Ｃ４、Ｃ６、Ａ３、Ｃ５、Ｂ１、Ａ４へと符号化される。
【００３９】
本発明のさらに別の実施形態では、デュアルストリーム−デュアルストリーム送信モードに対応するコードブック構造に含まれる符号語がＡ１、Ａ２、Ａ３、Ａ４、Ａ５、Ａ６、Ｂ１、Ｂ２、Ｂ３、Ｂ４、Ｂ５、Ｂ６、Ｃ１、Ｃ２、Ｃ３、Ｃ４、Ｃ５、Ｃ６、Ｄ１、Ｄ２、Ｄ３、Ｄ４、Ｄ５、Ｄ６であるときに、統合フィードバック信号Ｘ０３、Ｘ０４、Ｘ０５、Ｘ０６、Ｘ３０、Ｘ３３、Ｘ３４、Ｘ３５、Ｘ３６、Ｘ４０、Ｘ４３、Ｘ４４、Ｘ４５、Ｘ４６、Ｘ５０、Ｘ５３、Ｘ５４、Ｘ５５、Ｘ５６、Ｘ６０、Ｘ６３、Ｘ６４、Ｘ６５、Ｘ６６はそれぞれ、Ｃ１、Ｃ２、Ｃ３、Ｃ４、Ａ１、Ｂ４、Ｂ５、Ｂ６、Ｄ１、Ａ２、Ｄ５、Ｄ３、Ｂ３、Ｃ６、Ａ３、Ｄ６、Ｂ２、Ｄ２、Ｃ５、Ａ４、Ｂ１、Ａ６、Ａ５、Ｄ４へと符号化され、または統合フィードバック信号Ｘ０３、Ｘ０４、Ｘ０５、Ｘ０６、Ｘ３０、Ｘ３３、Ｘ３４、Ｘ３５、Ｘ３６、Ｘ４０、Ｘ４３、Ｘ４４、Ｘ４５、Ｘ４６、Ｘ５０、Ｘ５３、Ｘ５４、Ｘ５５、Ｘ５６、Ｘ６０、Ｘ６３、Ｘ６４、Ｘ６５、Ｘ６６はそれぞれ、Ｂ１、Ｂ２、Ｂ３、Ｂ４、Ａ１、Ｄ４、Ｂ５、Ｄ２、Ｄ１、Ａ２、Ａ５、Ｄ３、Ｂ６、Ｃ６、Ａ３、Ｄ６、Ａ６、Ｃ３、Ｃ５、Ａ４、Ｄ５、Ｃ２、Ｃ１、Ｃ４へと符号化される。
【００４０】
デュアルストリーム−デュアルストリーム送信モードに対応するコードブック構造に含まれる符号語がＧ７、Ｇ８、Ｇ９、Ｇ１０、Ｇ１１、Ｇ１２、Ｇ１３、Ｇ１４、Ｇ１５、Ｇ１６、Ｈ１、Ｈ２、Ｈ３、Ｈ４、Ｈ５、Ｈ６、Ｈ７、Ｈ８、Ｈ９、Ｈ１０、Ｈ１１、Ｈ１２、Ｈ１３、Ｈ１４、Ｈ１５、Ｈ１６であるときに、統合フィードバック信号Ｘ０３、Ｘ０４、Ｘ０５、Ｘ０６、Ｘ３０、Ｘ３３、Ｘ３４、Ｘ３５、Ｘ３６、Ｘ４０、Ｘ４３、Ｘ４４、Ｘ４５、Ｘ４６、Ｘ５０、Ｘ５３、Ｘ５４、Ｘ５５、Ｘ５６、Ｘ６０、Ｘ６３、Ｘ６４、Ｘ６５、Ｘ６６はそれぞれ、Ｇ１２、Ｇ１３、Ｇ１４、Ｈ４、Ｈ１、Ｇ７、Ｇ８、Ｇ９、Ｇ１０、Ｈ２、Ｇ１１、Ｇ１４、Ｇ１６、Ｈ３、Ｈ７、Ｈ５、Ｈ６、Ｈ１１、Ｈ１２、Ｈ８、Ｈ１３、Ｈ１４、Ｈ１５、Ｈ１６へと符号化される。
【００４１】
さらに、シングルストリーム−ＤＴＸ送信モードに対応するコードブック構造は、シングルストリーム−シングルストリーム送信モードに対応するコードブック構造とシングルストリーム−デュアルストリーム送信モードに対応するコードブック構造との共通部分の部分集合であり、ＤＴＸ−シングルストリーム送信モードに対応するコードブック構造は、シングルストリーム−シングルストリーム送信モードに対応するコードブック構造とデュアルストリーム−シングルストリーム送信モードに対応するコードブック構造との共通部分の部分集合であり、デュアルストリーム−ＤＴＸ送信モードに対応するコードブック構造は、デュアルストリーム−シングルストリーム送信モードに対応するコードブック構造とデュアルストリーム−デュアルストリーム送信モードに対応するコードブック構造との共通部分の部分集合であり、ＤＴＸ−デュアルストリーム送信モードに対応するコードブック構造は、シングルストリーム−デュアルストリーム送信モードに対応するコードブック構造とデュアルストリーム−デュアルストリーム送信モードに対応するコードブック構造との共通部分の部分集合である。
【００４２】
さらに、シングルストリーム−ＤＴＸ送信モードに対応するコードブック構造のコードブック構造の型がＡ−Ｂであるときに、ＤＴＸ−シングルストリーム送信モードに対応するコードブック構造のコードブック構造の型はＡ−Ｂであり、デュアルストリーム−ＤＴＸ送信モードに対応するコードブック構造のコードブック構造の型は４Ａであり、ＤＴＸ−デュアルストリーム送信モードに対応するコードブック構造のコードブック構造の型は４Ａであり、シングルストリーム−シングルストリーム送信モードに対応するコードブック構造のコードブック構造の型は２Ａ−２Ｂ−２Ｃ−２Ｄであり、デュアルストリーム−シングルストリーム送信モードに対応するコードブック構造のコードブック構造の型は６Ａ−３Ｃ−３Ｄ−Ｅ−Ｆであり、シングルストリーム−デュアルストリーム送信モードに対応するコードブック構造のコードブック構造の型は６Ａ−３Ｃ−３Ｄ−Ｅ−Ｆであり、デュアルストリーム−デュアルストリーム送信モードに対応するコードブック構造のコードブック構造の型は６Ａ−６Ｂ−６Ｃ−６Ｄであり、統合フィードバック信号とその符号化のための符号語とのマッピング関係は以下の表２−７に示すものである。
表２−７
【表１０】
0005615969.tif 000013
0005615969.tif 000014
0005615969.tif 000015
【００４３】
さらに、シングルストリーム−ＤＴＸ送信モードに対応するコードブック構造のコードブック構造の型がＡ−Ｂであるときに、ＤＴＸ−シングルストリーム送信モードに対応するコードブック構造のコードブック構造の型はＡ−Ｂであり、デュアルストリーム−ＤＴＸ送信モードに対応するコードブック構造のコードブック構造の型は４Ａであり、ＤＴＸ−デュアルストリーム送信モードに対応するコードブック構造のコードブック構造の型は４Ａであり、シングルストリーム−シングルストリーム送信モードに対応するコードブック構造のコードブック構造の型は２Ａ−２Ｂ−２Ｃ−２Ｄであり、デュアルストリーム−シングルストリーム送信モードに対応するコードブック構造のコードブック構造の型は６Ａ−２Ｂ−６Ｃであり、シングルストリーム−デュアルストリーム送信モードに対応するコードブック構造のコードブック構造の型は６Ａ−２Ｂ−６Ｃであり、デュアルストリーム−デュアルストリーム送信モードに対応するコードブック構造のコードブック構造の型は６Ａ−６Ｂ−６Ｃ−６Ｄであり、統合フィードバック信号とその符号化のための符号語とのマッピング関係は以下の表２−８に示すものである。
表２−８
【表１１】
0005615969.tif 000016
0005615969.tif 000017
0005615969.tif 000018
【００４４】
さらに、シングルストリーム−ＤＴＸ送信モードに対応するコードブック構造のコードブック構造の型がＡ−Ｂであるときに、ＤＴＸ−シングルストリーム送信モードに対応するコードブック構造のコードブック構造の型はＡ−Ｂであり、デュアルストリーム−ＤＴＸ送信モードに対応するコードブック構造のコードブック構造の型は４Ａであり、ＤＴＸ−デュアルストリーム送信モードに対応するコードブック構造のコードブック構造の型は４Ａであり、シングルストリーム−シングルストリーム送信モードに対応するコードブック構造のコードブック構造の型はＡ−Ｂ−５Ｃ−Ｄであり、デュアルストリーム−シングルストリーム送信モードに対応するコードブック構造のコードブック構造の型は６Ａ−２Ｂ−６Ｃであり、シングルストリーム−デュアルストリーム送信モードに対応するコードブック構造のコードブック構造の型は６Ａ−２Ｂ−６Ｃであり、デュアルストリーム−デュアルストリーム送信モードに対応するコードブック構造のコードブック構造の型は６Ａ−６Ｂ−６Ｃ−６Ｄであり、統合フィードバック信号とその符号化のための符号語とのマッピング関係は以下の表２−９に示すものである。
表２−９
【表１２】
0005615969.tif 000019
0005615969.tif 000020
0005615969.tif 000021
【００４５】
さらに、シングルストリーム−ＤＴＸ送信モードに対応するコードブック構造のコードブック構造の型がＡ−Ｂであるときに、ＤＴＸ−シングルストリーム送信モードに対応するコードブック構造のコードブック構造の型はＡ−Ｂであり、デュアルストリーム−ＤＴＸ送信モードに対応するコードブック構造のコードブック構造の型は４Ａであり、ＤＴＸ−デュアルストリーム送信モードに対応するコードブック構造のコードブック構造の型は４Ａであり、シングルストリーム−シングルストリーム送信モードに対応するコードブック構造のコードブック構造の型は２Ａ−２Ｂ−４Ｃであり、デュアルストリーム−シングルストリーム送信モードに対応するコードブック構造のコードブック構造の型は６Ａ−２Ｂ−６Ｃであり、シングルストリーム−デュアルストリーム送信モードに対応するコードブック構造のコードブック構造の型は６Ａ−２Ｂ−６Ｃであり、デュアルストリーム−デュアルストリーム送信モードに対応するコードブック構造のコードブック構造の型は６Ａ−６Ｂ−６Ｃ−６Ｄであり、統合フィードバック信号とその符号化のための符号語とのマッピング関係は以下の表２−１０または表２−１１に示すものである。
表２−１０
【表１３】
0005615969.tif 000022
0005615969.tif 000023
0005615969.tif 000024
表２−１１
【表１４】
0005615969.tif 000025
0005615969.tif 000026
0005615969.tif 000027
【００４６】
さらに、シングルストリーム−ＤＴＸ送信モードに対応するコードブック構造のコードブック構造の型がＡ−Ｂであるときに、ＤＴＸ−シングルストリーム送信モードに対応するコードブック構造のコードブック構造の型はＡ−Ｂであり、デュアルストリーム−ＤＴＸ送信モードに対応するコードブック構造のコードブック構造の型は４Ａであり、ＤＴＸ−デュアルストリーム送信モードに対応するコードブック構造のコードブック構造の型は４Ａであり、シングルストリーム−シングルストリーム送信モードに対応するコードブック構造のコードブック構造の型はＡ−Ｂ−５Ｃ−Ｄであり、デュアルストリーム−シングルストリーム送信モードに対応するコードブック構造のコードブック構造の型は６Ａ−３Ｃ−３Ｄ−Ｅ−Ｆであり、シングルストリーム−デュアルストリーム送信モードに対応するコードブック構造のコードブック構造の型は６Ａ−３Ｃ−３Ｄ−Ｅ−Ｆであり、デュアルストリーム−デュアルストリーム送信モードに対応するコードブック構造のコードブック構造の型は６Ａ−６Ｂ−６Ｃ−６Ｄであり、統合フィードバック信号とその符号化のための符号語とのマッピング関係は以下の表２−１２または表２−１３に示すものである。
表２−１２
【表１５】
0005615969.tif 000028
0005615969.tif 000029
0005615969.tif 000030
表２−１３
【表１６】
0005615969.tif 000031
0005615969.tif 000032
0005615969.tif 000033
【００４７】
さらに、シングルストリーム−ＤＴＸ送信モードに対応するコードブック構造のコードブック構造の型がＡ−Ｂであるときに、ＤＴＸ−シングルストリーム送信モードに対応するコードブック構造のコードブック構造の型はＡ−Ｂであり、デュアルストリーム−ＤＴＸ送信モードに対応するコードブック構造のコードブック構造の型は４Ａであり、ＤＴＸ−デュアルストリーム送信モードに対応するコードブック構造のコードブック構造の型は４Ａであり、シングルストリーム−シングルストリーム送信モードに対応するコードブック構造のコードブック構造の型は２Ａ−２Ｂ−２Ｃ−２Ｄであり、デュアルストリーム−シングルストリーム送信モードに対応するコードブック構造のコードブック構造の型は６Ａ−３Ｃ−３Ｄ−Ｅ−Ｆであり、シングルストリーム−デュアルストリーム送信モードに対応するコードブック構造のコードブック構造の型は６Ａ−３Ｃ−３Ｄ−Ｅ−Ｆであり、デュアルストリーム−デュアルストリーム送信モードに対応するコードブック構造のコードブック構造の型は６Ａ−６Ｂ−６Ｃ−６Ｄであり、統合フィードバック信号とその符号化のための符号語とのマッピング関係は以下の表２−１４または表２−１５に示すものである。
表２−１４
【表１７】
0005615969.tif 000034
0005615969.tif 000035
0005615969.tif 000036
表２−１５
【表１８】
0005615969.tif 000037
0005615969.tif 000038
0005615969.tif 000039
【００４８】
さらに、表２−１４のＰＲＥ／ＰＯＳＴ表示情報は以下の表２−１６で置き換えることができる。
表２−１６
【表１９】
0005615969.tif 000040
【００４９】
さらに、シングルストリーム−ＤＴＸ送信モードに対応するコードブック構造のコードブック構造の型がＡ−Ｂであるときに、ＤＴＸ−シングルストリーム送信モードに対応するコードブック構造のコードブック構造の型はＡ−Ｂであり、デュアルストリーム−ＤＴＸ送信モードに対応するコードブック構造のコードブック構造の型は４Ａであり、ＤＴＸ−デュアルストリーム送信モードに対応するコードブック構造のコードブック構造の型は４Ａであり、シングルストリーム−シングルストリーム送信モードに対応するコードブック構造のコードブック構造の型は２Ａ−２Ｂ−４Ｃであり、デュアルストリーム−シングルストリーム送信モードに対応するコードブック構造のコードブック構造の型は６Ａ−２Ｂ−６Ｃであり、シングルストリーム−デュアルストリーム送信モードに対応するコードブック構造のコードブック構造の型は６Ａ−３Ｃ−３Ｄ−Ｅ−Ｆであり、デュアルストリーム−デュアルストリーム送信モードに対応するコードブック構造のコードブック構造の型は６Ａ−６Ｂ−６Ｃ−６Ｄであり、統合フィードバック信号とその符号化のための符号語とのマッピング関係は以下の表２−１７または表２−１８に示すものである。
表２−１７
【表２０】
0005615969.tif 000041
0005615969.tif 000042
0005615969.tif 000043
表２−１８
【表２１】
0005615969.tif 000044
0005615969.tif 000045
0005615969.tif 000046
【００５０】
さらに、表２−１７のＰＲＥ／ＰＯＳＴ表示情報は以下の表２−１９で置き換えることができる。
表２−１９
【表２２】
0005615969.tif 000047
【００５１】
さらに、シングルストリーム−ＤＴＸ送信モードに対応するコードブック構造のコードブック構造の型がＡ−Ｂであるときに、ＤＴＸ−シングルストリーム送信モードに対応するコードブック構造のコードブック構造の型はＡ−Ｂであり、デュアルストリーム−ＤＴＸ送信モードに対応するコードブック構造のコードブック構造の型は４Ａであり、ＤＴＸ−デュアルストリーム送信モードに対応するコードブック構造のコードブック構造の型は４Ａであり、シングルストリーム−シングルストリーム送信モードに対応するコードブック構造のコードブック構造の型は２Ａ−２Ｂ−２Ｃ−２Ｄであり、デュアルストリーム−シングルストリーム送信モードに対応するコードブック構造のコードブック構造の型は｛Ａ１，Ａ２，Ａ５，Ａ６｝∪２Ｂ−３Ｃ−３Ｄ−Ｅ−Ｆであり、シングルストリーム−デュアルストリーム送信モードに対応するコードブック構造のコードブック構造の型は６Ａ−２Ｂ−２Ｃ−Ｄ∪｛Ｄ３〜Ｄ５｝であり、デュアルストリーム−デュアルストリーム送信モードに対応するコードブック構造のコードブック構造の型は｛Ｇ７〜Ｇ１６｝∪｛Ｈ１〜Ｈ８｝∪｛Ｈ９〜Ｈ１６｝であり、統合フィードバック信号とその符号化のための符号語とのマッピング関係は以下の表２−２０に示すものである。
表２−２０
【表２３】
0005615969.tif 000048
0005615969.tif 000049
0005615969.tif 000050
【００５２】
さらに、シングルストリーム−ＤＴＸ送信モードに対応するコードブック構造のコードブック構造の型がＡ−Ｂであるときに、ＤＴＸ−シングルストリーム送信モードに対応するコードブック構造のコードブック構造の型はＡ−Ｂであり、デュアルストリーム−ＤＴＸ送信モードに対応するコードブック構造のコードブック構造の型は４Ａであり、ＤＴＸ−デュアルストリーム送信モードに対応するコードブック構造のコードブック構造の型は４Ａであり、シングルストリーム−シングルストリーム送信モードに対応するコードブック構造のコードブック構造の型は２Ａ−２Ｂ−４Ｃであり、デュアルストリーム−シングルストリーム送信モードに対応するコードブック構造のコードブック構造の型は４Ａ−３Ｂ−６Ｃ−Ｄであり、シングルストリーム−デュアルストリーム送信モードに対応するコードブック構造のコードブック構造の型は６Ａ−２Ｂ−２Ｃ−Ｄ∪｛Ｄ３〜Ｄ５｝であり、デュアルストリーム−デュアルストリーム送信モードに対応するコードブック構造のコードブック構造の型は｛Ｇ７〜Ｇ１６｝∪｛Ｈ１〜Ｈ８｝∪｛Ｈ９〜Ｈ１６｝であり、統合フィードバック信号とその符号化のための符号語とのマッピング関係は以下の表２−２１に示すものである。
表２−２１
【表２４】
0005615969.tif 000051
0005615969.tif 000052
0005615969.tif 000053
【発明の効果】
【００５３】
本発明の各実施形態では、２つの搬送波のフィードバック信号を統合符号化し、符号化されたフィードバック信号をＤＣ−ＭＩＭＯモードにおいてコードチャネル上で送信する方法が提供される。この符号化方法では、システムのビット誤り率（ＢＥＲ：ｂｉｔ  ｅｒｒｏｒ  ｒａｔｉｏ）および検出誤りコストが低く、そのため、電力オーバーヘッドが節約され、システムのＣＭ値は影響を受けず、それによってシステムの性能が向上する。
【図面の簡単な説明】
【００５４】
【図１】本発明の第１の実施形態による信号符号化方法を示す流れ図である。
【図２】本発明による信号符号化方法の第２の実施形態が適用できるＨＡＲＱ−ＡＣＫ統合符号器を示す概略的構造図である。
【図３】本発明の一実施形態による信号符号化装置を示す概略的構造図である。
【発明を実施するための形態】
【００５５】
以下に、本発明の信号符号化方法の第１の実施形態を示す。
【００５６】
図１は本発明の第１の実施形態による信号符号化方法の流れ図である。図１に示すように、この方法は具体的には以下のステップを含む。
【００５７】
ステップ１０１で、２つの搬送波がＭＩＭＯで構成されているときに、２つの搬送波のＨＡＲＱ−ＡＣＫ信号が統合フィードバック信号へと合成される。
【００５８】
ステップ１０２で、信号と符号語との所定のマッピング関係に従い、統合フィードバック信号が符号語へとマップされる。
【００５９】
ステップ１０１は具体的には以下の通りとすることができる。デュアルキャリアの２つの搬送波のＨＡＲＱ−ＡＣＫ信号が、それぞれ、各搬送波に対応する搬送波フィードバック信号へと合成される。具体的には、各搬送波が複数の信号ストリームを持つ場合に、各搬送波のＨＡＲＱ−ＡＣＫ信号が搬送波フィードバック信号へと合成される。デュアルストリームを例にとると、すなわち、各搬送波の２つのストリームのＨＡＲＱ−ＡＣＫ信号が搬送波フィードバック信号へと合成される。次いで２つの搬送波フィードバック信号が統合フィードバック信号へと合成される。
【００６０】
この実施形態では、ＤＣ−ＭＩＭＯモードで２つの搬送波のフィードバック信号を符号化する方法が提供され、この方法ではシングルコードチャネルが用いられ、そのため、電力オーバーヘッドが節約され、システムのＣＭ値は影響を受けず、それによってシステムの性能が向上する。
【００６１】
以下に、本発明の信号符号化方法の第２の実施形態を示す。
【００６２】
図２は、本発明による信号符号化方法の第２の実施形態が適用できるＨＡＲＱ−ＡＣＫ統合符号器の概略的構成図である。ＤＣ−ＭＩＭＯモードでは、ノードＢが多くともプライマリキャリアとセカンダリキャリアの両方で同時にＵＥにユーザデータを送信するにすぎず、搬送波はどちらもＭＩＭＯ技術を用いる。言い換えると、ＵＥは多くとも２つの搬送波上で４つのストリームのデータを受信するにすぎない。データを受信した後でＵＥは、それぞれデータ受信事例に従ってフィードバックを提供する必要がある（フィードバック情報はＤＴＸ、ＡＣＫ、およびＮＡＣＫを含む）。ＵＥは２つの搬送波のフィードバック情報を統合し、そのフィードバック情報を１０ビットの０−１シーケンスに符号化し、それがＨＳ−ＤＰＣＣＨを介してノードＢにフィードバックされる。ノードＢは送信モードに従って復号空間を選択し、復号を行う。
【００６３】
第１に、２つの搬送波のＨＡＲＱ−ＡＣＫ信号が、それぞれ、各搬送波に対応する搬送波フィードバック信号へと合成される。このプロセスを以下で具体的に説明する。
【００６４】
図２に示すように、プライマリキャリア信号合成サブモジュールとセカンダリキャリア信号合成サブモジュールは、それぞれ、プライマリキャリアとセカンダリキャリア上のＨＡＲＱ−ＡＣＫ信号を、各搬送波に対応する搬送波フィードバック信号へと合成する。すなわち、２つのサブモジュールの機能は、それぞれ、１つの搬送波上の２つのデータストリームのフィードバック信号を搬送波フィードバック信号へとマップするように構成されている。各搬送波は２つのデータ送信モード、すなわち、シングルストリームモードとデュアルストリームモードを有する。シングルストリームモードでは、第１のストリームについてはフィードバックが提供されず（すなわち、第１のストリームのフィードバック信号はデフォルトではＤＴＸである）、フィードバック信号は第２のストリームのフィードバックだけを提供する。
【００６５】
各搬送波のストリームごとのフィードバック信号の集合は｛ＤＴＸ，ＡＣＫ，ＮＡＣＫ｝であり、そのため、搬送波ごとの搬送波フィードバック信号の集合は｛ＤＴＸ，ＡＣＫ，ＮＡＣＫ，ＡＣＫ＿ＡＣＫ，ＡＣＫ＿ＮＡＣＫ，ＮＡＣＫ＿ＡＣＫ，ＮＡＣＫ＿ＮＡＣＫ｝になる。ＡＣＫ＿ＡＣＫは、搬送波上の第１のストリームのフィードバック信号がＡＣＫであり、第２のストリームのフィードバック信号がＡＣＫであることを表す。搬送波フィードバック信号にはそれぞれ番号がふられ、その詳細については表１−１０で参照することができる。表１−１０に、ＭＩＭＯモードにおける搬送波フィードバック信号と番号とのマッピング関係を示す。
表１−１０  ＭＩＭＯモードにおける搬送波フィードバック信号と番号とのマッピング関係
【表２５】
0005615969.tif 000054
【００６６】
２つのストリームのフィードバック信号を搬送波フィードバック信号へと合成するマッピングプロセスについては、表１−１１で参照することができる。
表１−１１  搬送波フィードバック信号と２つのストリームのフィードバック信号とのマッピング関係
【表２６】
0005615969.tif 000055
【００６７】
表１−１１の「＝」は、フィードバック信号と番号との対応関係を表す。
【００６８】
Ｓ１およびＳ２は、それぞれ、第１のストリームと第２のストリームとのフィードバック信号に対応する数を表し、Ｓは搬送波フィードバック信号に対応する数を表し、Ｓ＝２×Ｓ１＋Ｓ２である。
【００６９】
搬送波フィードバック信号は２次元ベクトルＳ＝（Ｓ１，Ｓ２）で表すことができるもの仮定され、これは例えば、ＡＣＫ＝（ＤＴＸ，ＡＣＫ）やＡＣＫ＿ＮＡＣＫ＝（ＡＣＫ，ＮＡＣＫ）などのフィードバック信号に対応する。
【００７０】
表１−１０および表１−１１に示すマッピング関係は単なる具体例にすぎず、この実施形態は、表１−１０および表１−１１に示すマッピング関係だけに限定されるものではなく、他の方式も用いられ得る。
【００７１】
第２に、２つの搬送波フィードバック信号が統合フィードバック信号へと合成される。このプロセスを以下で具体的に説明する。
【００７２】
図２に示すように、統合フィードバック信号合成サブモジュールは２つの搬送波のフィードバック信号を統合フィードバック信号へと合成する。すなわち、ＵＥは２つの搬送波のフィードバック信号を統合フィードバック信号へと合成する。さらに符号器サブモジュールが統合フィードバック信号の符号化、すなわち、統合フィードバック信号の１０ビットの０−１シーケンスへのマッピングを行う。２つの搬送波のフィードバック信号がどちらもＤＴＸであるときには、統合信号が符号語へとマップされず、または統合信号はＤＴＸへとマップされるものとみなされる。
【００７３】
ＳａとＳｓは、それぞれ、プライマリキャリアのフィードバック信号とセカンダリキャリアのフィードバック信号に対応する数を表し、ａ１とａ２は、それぞれ、プライマリキャリア上の第１のストリームと第２のストリームのフィードバック信号を表し、ｂ１とｂ２は、それぞれ、セカンダリキャリア上の第１のストリームと第２のストリームのフィードバック信号を表す。例示を容易にするために、１つの統合フィードバック信号を４次元ベクトル、例えばＳｉｇ＝（ａ１，ａ２，ｂ１，ｂ２）などで表すこともでき、２次元ベクトル、例えばＳｉｇ＝（Ｓａ，Ｓｓ）で表すこともでき、その場合ａ１、ａ２、ｂ１、ｂ２に対応する信号∈｛ＤＴＸ，ＡＣＫ，ＮＡＣＫ｝であり、Ｓａ、Ｓｓに対応する信号∈｛ＤＴＸ，ＡＣＫ，ＮＡＣＫ，ＡＣＫ＿ＡＣＫ，ＡＣＫ＿ＮＡＣＫ，ＮＡＣＫ＿ＡＣＫ，ＮＡＣＫ＿ＮＡＣＫ｝であり、Ｓａ＝２ａ１＋ａ２、Ｓｓ＝２ｂ１＋ｂ２である。
【００７４】
Ｓａ＝ｉ、Ｓｓ＝ｊであると仮定すると、統合フィードバック信号はＸｉｊとして表される。統合フィードバック信号のプライマリ・キャリア・フィードバック信号は番号ｉに対応する信号であり、統合フィードバック信号のセカンダリ・キャリア・フィードバック信号は番号ｊに対応する信号であり、０≦ｉ≦６、０≦ｊ≦６である。番号０〜６に対応する信号は順にＤＴＸ、ＡＣＫ、ＮＡＣＫ、ＡＣＫ＿ＡＣＫ、ＡＣＫ＿ＮＡＣＫ、ＮＡＣＫ＿ＡＣＫ、およびＮＡＣＫ＿ＮＡＣＫであり、またはＤ、Ａ、Ｎ、ＡＡ、ＡＮ、ＮＡ、およびＮＮへと簡略化される。例えば、Ｘ３４は、プライマリキャリアが番号３の付いた信号を送信し、セカンダリキャリアが番号４の付いた信号を送信すること、すなわち、ＡＣＫ＿ＡＣＫ／ＡＣＫ＿ＮＡＣＫを表し、これはＡＡ／ＡＮと簡略化される。
【００７５】
２つの搬送波フィードバック信号を統合フィードバック信号に合成するマッピングプロセスについては、表１−１２で参照することができる。
表１−１２  ２つの搬送波フィードバック信号と統合フィードバック信号とのマッピング関係
【表２７】
0005615969.tif 000056
【００７６】
ＤＣ−ＭＩＭＯモードでは、搬送波上のノードＢのためのデータ送信モードは、フィードバック信号がＤＴＸになるように搬送波上でデータを送信しないこと、搬送波上のＭＩＭＯシングルストリームモードを使用すること、および搬送波上でＭＩＭＯデュアルストリームモードを使用すること、を含む。したがって、２つの搬送波上のノードＢのためのデータ送信モードの９つの組み合わせは、ＤＴＸ−ＤＴＸ、シングルストリーム−ＤＴＸ、ＤＴＸ−シングルストリーム、シングルストリーム−シングルストリーム、デュアルストリーム−ＤＴＸ、ＤＴＸ−デュアルストリーム、デュアルストリーム−シングルストリーム、シングルストリーム−デュアルストリーム、およびデュアルストリーム−デュアルストリームのモードを含む。ＤＴＸ−ＤＴＸではデータが送信されず、そのため、有効なデータ送信モードは、ＤＴＸ−ＤＴＸモードを除く残りの８つの組み合わせである。送信モードの各組み合わせにおける信号空間は表１−１２における領域に対応する。例えば、デュアルストリーム−デュアルストリーム送信モードに対応する信号空間は、表１−１２の右下隅のところの５×５行列に含まれる信号の集合であり、残りの送信モードは類推により推定され得る。
【００７７】
第３に、統合フィードバック信号は、信号と符号語との所定のマッピング関係に従って符号語へとマップされる。このプロセスを以下で具体的に説明する。
【００７８】
このステップで、符号器サブモジュールは統合フィードバック信号を１０ビットの０−１シーケンス、すなわち符号語へとマップする。
【００７９】
統合フィードバック信号の符号語へのマッピングには、統合フィードバック信号と特定の符号語とのマッピング表が提供される必要がある。入力される統合フィードバック信号に対応する符号語は、提供される信号−符号語マッピング表を検索することにより見つかり、次いでその符号語が出力される。
【００８０】
統合フィードバック信号と符号語とのマッピング表は以下のように提供され得る。ある符号距離関係を満たすコードブック構造が送信モードごとに探し出され、表１−１２の信号と特定の符号語とのマッピング関係を獲得するために、各送信モードとコードブック構造の符号語とのマッピング関係が確立される。
【００８１】
まず、コードブック構造を探索する過程において、ＢＥＲおよび検出誤りコストを含む符号化方式の性能評価指数が考慮され得る。符号化設計は、適切なコードブック構造および適切なマッピング方式を選択することによりＢＥＲおよび検出誤りコストを最小限に抑えるようにする。
【００８２】
ＢＥＲは、シングルコードＢＥＲおよびシステムＢＥＲを含む。シングルコードＢＥＲは、ＵＥによって送信された信号ＸｉｊがノードＢによって他の信号に誤って復号される確率を表し、システムＢＥＲは、シングルコードＢＥＲの加重平均値を表し、これらは以下の２つの式で示される。
【数１】
0005615969.tif 000057
式中、Ωはある送信モードにおける信号空間を表し、Ｐｇｅｎ（Ｓ）は信号Ｓがある送信モードで発生する確率を表し、Ｐｔ（Ｓ，Ｓ）は送信された信号Ｓが正しくＳに復号される確率を表す。
【００８３】
検出誤りコストは信号の不正確な復号によって付加的に生じたコストを表す。ここでは主に時間コストが考慮され、これは、無線リンク制御（ＲＬＣ：ｒａｄｉｏ  ｌｉｎｋ  ｃｏｎｔｒｏｌ）層または物理層における再送信に起因する伝送速度の減少として具現化される。信号検出誤りコストは表１−１３で参照することができる。
表１−１３  信号検出誤りコスト
【表２８】
0005615969.tif 000058
【００８４】
表１−１３において、Ｃｉｊはｉと番号の付いた信号がｊと番号の付いた信号として検出されるコストを表し（ＣｉｊはＣ（ｉ，ｊ）と表されてもよい）、Ｈは信号検出誤りによって生じたＲＬＣ層における再送信のコストを表し、Ｌは信号検出誤りによって生じた物理層における再送信のコストを表し、０はコストなしを表す。ＨおよびＬは定数とみなされてもよく、ＨはＬよりずっと大きく、例えばＨ≒１０Ｌなどである。
【００８５】
信号Ｓ＝（Ｓａ１，Ｓａ２，Ｓｂ１，Ｓｂ２）、Ｒ＝（Ｒａ１，Ｒａ２，Ｒｂ１，Ｒｂ２）であると仮定すると、ＳがＲであるものとして検出誤りコストＣｏｓｔ（Ｓ，Ｒ）は、以下の式によって計算され得る。
【数２】
0005615969.tif 000059
【００８６】
Ｐｔ（Ｓ，Ｒ）が、送信された信号ＳがＲとして受信される確率を表すものと仮定する。ＳもＲもＤＴＸでないときには、基本的に、Ｐｔ（Ｓ，Ｒ）は各信号に対応する符号語の符号距離の関数である、すなわちＰｔ（Ｓ，Ｒ）＝ｆ（ｄ（Ｓ，Ｒ））であるとみなすことができる。Ｓ＝ＤＴＸ、Ｒ≠ＤＴＸであるときには、Ｐｔ（Ｓ，Ｒ）＝Ｐｔ（ＤＴＸ，Ｒ）＝Ｐｆであり、これは誤った警報（ｆａｌｓｅ  ａｌａｒｍ）の確率である。Ｓ≠ＤＴＸ、Ｒ＝ＤＴＸであるときには、Ｐｔ（Ｓ，Ｒ）＝Ｐｔ（Ｓ，ＤＴＸ）＝Ｐｍであり、これは誤った棄却（ｆａｌｓｅ  ｄｉｓｍｉｓｓａｌ）の確率である。所定の条件において、各符号語の対ごとの誤り確率、誤った警報の確率、および誤った棄却の確率をコンピュータでシミュレーションにより獲得することができる。
【００８７】
したがって、ある送信モードにおけるシステムの動作時の総検出誤りコストＰｒは、
【数３】
0005615969.tif 000060
によって獲得され、式中、Ωはその送信モードにおける信号空間を表す。
【００８８】
本発明の各実施形態では、ＢＥＲおよび検出誤りコストの計算方法に従い、ＢＥＲおよび検出誤りコストがより小さいコードブック構造が選択される。コードブック構造に含まれる符号語は、Ａ１〜Ａ６、Ｂ１〜Ｂ６、Ｃ１〜Ｃ６、Ｄ１〜Ｄ６、Ｅ１、Ｆ１、Ｇ１〜Ｇ１６、およびＨ１〜Ｈ１６である。各符号語は１０ビットの０−１シーケンスである。コードブック構造内の符号語間の符号距離関係は表１−４〜表１−９で参照することができる。
【００８９】
前述の符号語に従い、送信モードとコードブック構造とのマッピング関係が、例えば表１−１４に示すように確立され得る。
表１−１４  送信モードとコードブック構造とのマッピング関係
【表２９】
0005615969.tif 000061
【００９０】
表１−１４において、式ｘＡ−ｙＢ−ｚＣ−ｕＤ−…＝｛Ａ１〜Ａｘ，Ｂ１〜Ｂｙ，Ｃ１〜Ｃｚ，Ｄ１〜Ｄｕ，…｝はコードブック構造を表す。係数が０である場合、対応する項目は省かれ、例えば、４Ａ＝｛Ａ１，Ａ２，Ａ３，Ａ４｝、６Ａ−３Ｃ−３Ｄ−Ｅ−Ｆ＝｛Ａ１，Ａ２，Ａ３，Ａ４，Ａ５，Ａ６，Ｃ１，Ｃ２，Ｃ３，Ｄ１，Ｄ２，Ｄ３，Ｅ１，Ｆ１｝であり、残りは類推により推定され得る。
【００９１】
さらに、送信モードに対応する各コードブック構造は複数の等価のコードブック構造を有する。いわゆる「等価の」とは、あるシーケンスに従って配置された２つのコードブック構造内の符号語によって形成される符号距離行列が同一である場合、それら２つのコードブック構造を等価のコードブック構造であるといい、その具体的な定義は以下の通りである。
【００９２】
コードブック構造｛Ｘｉ｝と｛Ｙｊ｝とが等価である場合、マッピング関係φ：｛Ｘｉ｝→｛Ｙｊ｝が存在し、これはｄ（Ｘｉ，Ｙｊ）＝ｄ（φ（Ｘｉ），φ（Ｙｊ））を満たし、式中、ｄ（Ｘｉ，Ｙｊ）はＸｉとＹｊの間の符号距離である。
【００９３】
例えば、コードブック構造Ａ−Ｂと等価のコードブック構造はＣ−ＤまたはＥ−Ｆとすることができ、コードブック構造Ａ−Ｂ−６Ｃと等価のコードブック構造は６Ａ−Ｃ−Ｄとすることができ、その場合、マッピングは所定のシーケンス｛Ａ１，Ｂ１，Ｃ１，Ｃ２，Ｃ３，Ｃ４，Ｃ５，Ｃ６｝および｛Ｃ１，Ｄ１，Ａ１，Ａ２，Ａ３，Ａ４，Ａ５，Ａ６｝に従って１つずつ行われるため、形成される符号距離行列は同じである。
【００９４】
形成される符号距離行列が同じである限り、信号とマップされたときに２つのコードブック構造について獲得される各方式の性能は同じであり、そのため、任意の２つの等価のコードブック構造を同じ型のコードブック構造とみなすことができる。コードブック構造の型は、この型の任意のコードブック構造によって表され得る。例えば、Ａ−ＢとＣ−ＤとＥ−Ｆが相互に等価であり、同じ型のコードブック構造のものである場合には、Ａ−ＢとＣ−ＤとＥ−Ｆの任意のコードブック構造を使用してそのコードブック構造の型を表すことができる。決定された符号化方式において、各モードは１つのコードブック構造の型に一意に対応する。
【００９５】
すなわち、シングルストリーム−ＤＴＸまたはＤＴＸ−シングルストリーム送信モードに対応するコードブック構造に含まれる符号語は、Ａ１およびＢ１、またはＡ１およびＡ２、またはこのコードブック構造と等価のコードブック構造である。デュアルストリーム−ＤＴＸまたはＤＴＸ−デュアルストリーム送信モードに対応するコードブック構造に含まれる符号語は、Ａ１、Ａ２、Ａ３、Ａ４、またはＡ１、Ａ２、Ａ３、Ｃ１、またはＡ１、Ａ２、Ｃ１、Ｃ２、またはＡ１、Ｂ１、Ｃ１、Ｃ２、またはＡ１、Ｂ１、Ｃ１、Ｄ１、またはこのコードブック構造と等価のコードブック構造である。シングルストリーム−シングルストリーム送信モードに対応するコードブック構造に含まれる符号語は、Ａ１、Ａ２、Ｂ１、Ｂ２、Ｃ１、Ｃ２、Ｄ１、Ｄ２、またはＡ１、Ｂ１、Ｃ１、Ｃ２、Ｃ３、Ｃ４、Ｃ５、Ｄ１、またはＡ１、Ａ２、Ｂ１、Ｂ２、Ｃ１、Ｃ２、Ｃ３、Ｃ４、またはＡ１、Ｂ１、Ｃ１、Ｃ２、Ｃ３、Ｃ４、Ｃ５、Ｃ６、またはＡ１、Ａ２、Ｃ１、Ｃ２、Ｃ３、Ｃ４、Ｃ５、Ｃ６、またはＡ１、Ａ２、Ａ３、Ａ４、Ｃ１、Ｃ２、Ｃ３、Ｃ４、またはこのコードブック構造と等価のコードブック構造である。デュアルストリーム−シングルストリームまたはシングルストリーム−デュアルストリーム送信モードに対応するコードブック構造に含まれる符号語は、Ａ１、Ａ２、Ａ３、Ａ４、Ａ５、Ａ６、Ｂ１、Ｂ２、Ｃ１、Ｃ２、Ｃ３、Ｃ４、Ｃ５、Ｃ６、またはＡ１、Ａ２、Ａ３、Ａ４、Ａ５、Ａ６、Ｂ１、Ｃ１、Ｃ２、Ｃ３、Ｃ４、Ｃ５、Ｃ６、Ｄ１、またはＡ１、Ａ２、Ａ３、Ａ４、Ａ５、Ａ６、Ｃ１、Ｃ２、Ｃ３、Ｄ１、Ｄ２、Ｄ３、Ｅ１、Ｆ１、またはＡ１、Ａ２、Ａ３、Ａ４、Ｂ１、Ｂ２、Ｂ３、Ｂ４、Ｃ１、Ｃ２、Ｃ３、Ｄ１、Ｄ２、Ｄ３、またはＡ１、Ａ２、Ａ３、Ａ４、Ｂ１、Ｂ２、Ｂ３、Ｃ１、Ｃ２、Ｃ３、Ｃ４、Ｃ５、Ｃ６、Ｄ１、またはＡ１、Ａ２、Ａ５、Ａ６、Ｂ１、Ｂ２、Ｃ１、Ｃ２、Ｃ３、Ｄ１、Ｄ２、Ｄ３、Ｅ１、Ｆ１、またはＡ１、Ａ２、Ａ３、Ａ４、Ａ５、Ａ６、Ｂ１、Ｂ２、Ｃ１、Ｃ２、Ｄ１、Ｄ３、Ｄ４、Ｄ５、またはこのコードブック構造と等価のコードブック構造である。デュアルストリーム−デュアルストリーム送信モードに対応するコードブック構造に含まれる符号語は、Ａ１、Ａ２、Ａ３、Ａ４、Ａ５、Ａ６、Ｂ１、Ｂ２、Ｂ３、Ｂ４、Ｂ５、Ｂ６、Ｃ１、Ｃ２、Ｃ３、Ｃ４、Ｃ５、Ｃ６、Ｄ１、Ｄ２、Ｄ３、Ｄ４、Ｄ５、Ｄ６、または１６Ｇ−１６Ｈから無作為に選択された２４個の符号語からなるコードブック構造、またはこのコードブック構造と等価のコードブック構造である。
【００９６】
さらに、得られた結果に従い、送信モードごとのコードブック構造の型が決定され、異なる送信モードの統合フィードバック信号が符号化される。
【００９７】
以上を考慮して、この実施形態では、ＤＣ−ＭＩＭＯモードで２つの搬送波のフィードバック信号を符号化する方法が提供され、この方法ではシングルコードチャネルが用いられ、そのため、電力オーバーヘッドが節約され、システムのＣＭ値は影響を受けず、それによってシステムの性能が向上する。さらに、この実施形態では、適切なコードブック構造およびフィードバック信号と符号語とのマッピング関係がＢＥＲおよび検出誤りコストに従って選択され、そのため、信号検出誤りコストが最小限に抑えられ、システムのデータ伝送効率が高まる。
【００９８】
以下に、本発明による統合フィードバック信号を符号化する方法の第１の実施形態を示す。
【００９９】
この実施形態による統合フィードバック信号を符号化する方法は以下のステップを含む。異なる送信モードの統合フィードバック信号が、それぞれ、それらの送信モードに対応するコードブック構造またはそれと等価のコードブック構造の符号語に従って符号化される。
【０１００】
具体的には、この実施形態では、信号符号化方法の第２の実施形態の表１−４、表１−５、および表１−６に示す符号距離関係と、表１−１４に示す送信モードとコードブック構造とのマッピング関係を有するコードブック構造を用いて異なる送信モードの統合フィードバック信号が符号化される。このプロセスを以下で具体的に説明する。
【０１０１】
（１）シングルストリーム−シングルストリーム送信モードにおける統合フィードバック信号のための符号化方式
表１−１５  シングルストリーム−シングルストリーム送信モードにおける統合フィードバック信号のための符号化方式１
【表３０】
0005615969.tif 000062
【０１０２】
表１−１５に示すように、この実施形態で使用され得るコードブック構造は２Ａ−２Ｂ−２Ｃ−２Ｄまたはこれと等価のコードブック構造である。表１−１５の「＝」は「〜に対応する」または「〜へとマップされる」を意味し、以下同様である。コードブック構造に含まれる符号語は、Ａ１、Ａ２、Ｂ１、Ｂ２、Ｃ１、Ｃ２、Ｄ１、Ｄ２とすることができる。シングルストリーム−シングルストリーム送信モードにおける統合フィードバック信号の符号化は、Ｘ１１、Ｘ１２、Ｘ１０、Ｘ２１、Ｘ２２、Ｘ２０、Ｘ０１、Ｘ０２が、それぞれ、Ｄ２、Ｂ２、Ａ１、Ａ２、Ｃ２、Ｂ１、Ｃ１、Ｄ１へとマップされる統合フィードバック信号の符号化を含む。
【０１０３】
加えて、同じコードブック構造が使用される場合でさえも、上記マッピングプロセスと等価のマッピング方式がやはり存在し、これは具体的には以下のように定義される。
【０１０４】
信号集合｛Ｓｉ｝と対応するコードブック構造｛Ｘｊ｝との２つのマッピング方式ｆ：｛Ｓｉ｝→｛Ｘｊ｝とｈ：｛Ｓｉ｝→｛Ｘｊ｝は等価である。コードブック構造｛Ｘｊ｝は、そのマッピング方式において事前に決定されたシーケンス、すなわち、シーケンス｛ｆ（Ｓ１），ｆ（Ｓ２），…ｆ（Ｓｎ）｝とシーケンス｛ｈ（Ｓ１），ｈ（Ｓ２），…ｈ（Ｓｎ）｝とで同じ符号距離行列を形成し、２つのマッピング方式はｄ（ｆ（Ｓｉ），ｆ（Ｓｊ））＝ｄ（ｈ（Ｓｉ），ｈ（Ｓｊ））を満たす、すなわち、２つの任意の信号が２つのマッピング方式において同じ符号距離を有する。
【０１０５】
ｆ（Ｓｉ）はマッピング方式ｆ：｛Ｓｉ｝→｛Ｘｊ｝における信号Ｓｉに対応する符号語を表し、ｈ（Ｓｉ）はマッピング方式ｈ：｛Ｓｉ｝→｛Ｘｊ｝における信号Ｓｉに対応する符号語を表し、ｄ（ａ，ｂ）は符号語ａ、ｂ間の符号距離を表す。２つの信号間の符号距離は各信号に対応する符号語間の符号距離をいう。
【０１０６】
形成される符号距離行列が同じである限り、各方式の性能は同じである。したがって、任意の２つの等価のマッピング方式を同じマッピング方式とみなすことができる。
【０１０７】
例えば、表１−１５について等価のマッピング方式が存在する。すなわち、統合フィードバック信号Ｘ１１、Ｘ１２、Ｘ１０、Ｘ２１、Ｘ２２、Ｘ２０、Ｘ０１、Ｘ０２は、それぞれ、Ｂ２、Ｄ２、Ｃ１、Ｃ２、Ａ２、Ｄ１、Ａ１、Ｂ１へとマップすることができる。２つのマッピング方式において、各信号の符号距離行列は同じであり、信号間の符号距離は各信号に対応する符号語間の符号距離に等しい。したがって２つのマッピング方式を同じマッピング方式とみなすことができ、これは表１−１５によって統一されたやり方で表すことができる。以下のすべての方式を同様に理解することができる。
表１−１６  シングルストリーム−シングルストリーム送信モードにおける統合フィードバック信号のための符号化方式２
【表３１】
0005615969.tif 000063
【０１０８】
表１−１６に示すように、この実施形態で使用され得るコードブック構造はＡ−Ｂ−５Ｃ−Ｄまたはこれと等価のコードブック構造である。このコードブック構造に含まれる符号語はＡ１、Ｂ１、Ｃ１、Ｃ２、Ｃ３、Ｃ４、Ｃ５、Ｄ１とすることができる。シングルストリーム−シングルストリーム送信モードでの統合フィードバック信号の符号化は、Ｘ１１、Ｘ１２、Ｘ１０、Ｘ２１、Ｘ２２、Ｘ２０、Ｘ０１、Ｘ０２が、それぞれ、Ｃ２、Ｃ３、Ａ１、Ｃ４、Ｃ５、Ｂ１、Ｃ１、Ｄ１へとマップされる統合フィードバック信号の符号化を含む。
表１−１７  シングルストリーム−シングルストリーム送信モードにおける統合フィードバック信号のための符号化方式３
【表３２】
0005615969.tif 000064
【０１０９】
表１−１７に示すように、この実施形態で使用され得るコードブック構造は２Ａ−２Ｂ−４Ｃまたはこれと等価のコードブック構造である。このコードブック構造に含まれる符号語はＡ１、Ａ２、Ｂ１、Ｂ２、Ｃ１、Ｃ２、Ｃ３、Ｃ４とすることができる。シングルストリーム−シングルストリーム送信モードでの統合フィードバック信号の符号化は、Ｘ１１、Ｘ１２、Ｘ１０、Ｘ２１、Ｘ２２、Ｘ２０、Ｘ０１、Ｘ０２が、それぞれ、Ｃ１、Ｃ２、Ａ１、Ｃ３、Ｃ４、Ｂ１、Ａ２、Ｂ２へとマップされる統合フィードバック信号の符号化を含む。
【０１１０】
シングルストリーム−シングルストリームモードで使用されるコードブック構造および／またはマッピング方式は、例えば、２つの搬送波のどちらもＭＩＭＯで構成されないデュアルキャリアのＨＡＲＱ−ＡＣＫ統合符号化や、一方の搬送波はＭＩＭＯで構成されず、他方の搬送波はＭＩＭＯで構成されるシングルストリームモードのデュアルキャリアのＨＡＲＱ−ＡＣＫ統合符号化や、より多くの搬送波が構成される場合に８個の１０ビット符号語をフィードバックしさえすればよい符号化システムまたはサブシステムなど、８個の１０ビット符号語を使用する必要のある符号化システムにおいても適用することができる。
【０１１１】
（２）シングルストリーム−デュアルストリーム送信モードにおける統合フィードバック信号のための符号化方式
表１−１８  シングルストリーム−デュアルストリーム送信モードにおける統合フィードバック信号のための符号化方式１
【表３３】
0005615969.tif 000065
【０１１２】
表１−１８に示すように、この実施形態で使用され得るコードブック構造は６Ａ−３Ｃ−３Ｄ−Ｅ−Ｆまたはこれと等価のコードブック構造である。このコードブック構造に含まれる符号語は、Ａ１、Ａ２、Ａ３、Ａ４、Ａ５、Ａ６、Ｃ１、Ｃ２、Ｃ３、Ｄ１、Ｄ２、Ｄ３、Ｅ１、Ｆ１とすることができる。シングルストリーム−デュアルストリーム送信モードでの統合フィードバック信号の符号化は、Ｘ１０、Ｘ１３、Ｘ１４、Ｘ１５、Ｘ１６、Ｘ２０、Ｘ２３、Ｘ２４、Ｘ２５、Ｘ２６、Ｘ０３、Ｘ０４、Ｘ０５、Ｘ０６がそれぞれ、Ｅ１、Ａ３、Ｃ１、Ｃ２、Ａ４、Ｆ１、Ｃ３、Ｄ２、Ｄ１、Ｄ３、Ａ１、Ａ２、Ａ５、Ａ６へとマップされる統合フィードバック信号の符号化を含む。
表１−１９  シングルストリーム−デュアルストリーム送信モードにおける統合フィードバック信号のための符号化方式２
【表３４】
0005615969.tif 000066
【０１１３】
表１−１９に示すように、この実施形態で使用され得るコードブック構造は６Ａ−２Ｂ−６Ｃまたはこれと等価のコードブック構造である。このコードブック構造に含まれる符号語は、Ａ１、Ａ２、Ａ３、Ａ４、Ａ５、Ａ６、Ｂ１、Ｂ２、Ｃ１、Ｃ２、Ｃ３、Ｃ４、Ｃ５、Ｃ６とすることができる。シングルストリーム−デュアルストリーム送信モードでの統合フィードバック信号の符号化は、統合フィードバック信号Ｘ１０、Ｘ１３、Ｘ１４、Ｘ１５、Ｘ１６、Ｘ２０、Ｘ２３、Ｘ２４、Ｘ２５、Ｘ２６、Ｘ０３、Ｘ０４、Ｘ０５、Ｘ０６をそれぞれ、Ａ１、Ｃ１、Ｃ２、Ｃ３、Ａ３、Ｂ１、Ｃ４、Ｃ５、Ｃ６、Ｂ２、Ａ２、Ａ４、Ａ５、Ａ６へと符号化することを含む。
表１−２０  シングルストリーム−デュアルストリーム送信モードにおける統合フィードバック信号のための符号化方式３
【表３５】
0005615969.tif 000067
【０１１４】
表１−２０に示すように、この実施形態で使用され得るコードブック構造は６Ａ−２Ｂ−６Ｃまたはこれと等価のコードブック構造である。このコードブック構造に含まれる符号語は、Ａ１、Ａ２、Ａ３、Ａ４、Ａ５、Ａ６、Ｂ１、Ｂ２、Ｃ１、Ｃ２、Ｃ３、Ｃ４、Ｃ５、およびＣ６とすることができる。シングルストリーム−デュアルストリーム送信モードでの統合フィードバック信号の符号化は、統合フィードバック信号Ｘ１０、Ｘ１３、Ｘ１４、Ｘ１５、Ｘ１６、Ｘ２０、Ｘ２３、Ｘ２４、Ｘ２５、Ｘ２６、Ｘ０３、Ｘ０４、Ｘ０５、Ｘ０６をそれぞれ、シングルストリームＡ１、Ｃ５、Ａ２、Ａ３、Ｃ６、Ｂ１、Ａ４、Ａ５、Ａ６、Ｂ２、Ｃ１、Ｃ２、Ｃ３、Ｃ４へと符号化することを含む。
【０１１５】
（３）デュアルストリーム−シングルストリーム送信モードにおける統合フィードバック信号のための符号化方式
表１−２１  デュアルストリーム−シングルストリーム送信モードにおける統合フィードバック信号のための符号化方式１
【表３６】
0005615969.tif 000068
【０１１６】
表１−２１に示すように、この実施形態で使用され得るコードブック構造は６Ａ−３Ｃ−３Ｄ−Ｅ−Ｆである。このコードブック構造に含まれる符号語は、Ａ１、Ａ２、Ａ３、Ａ４、Ａ５、Ａ６、Ｃ１、Ｃ２、Ｃ３、Ｄ１、Ｄ２、Ｄ３、Ｅ１、およびＦ１とすることができる。デュアルストリーム−シングルストリーム送信モードでの統合フィードバック信号の符号化は、統合フィードバック信号Ｘ０１、Ｘ０２、Ｘ３１、Ｘ３２、Ｘ３０、Ｘ４１、Ｘ４２、Ｘ４０、Ｘ５１、Ｘ５２、Ｘ５０、Ｘ６１、Ｘ６２、Ｘ６０を、それぞれ、Ｅ１、Ｆ１、Ａ３、Ｃ３、Ａ１、Ｃ１、Ｄ２、Ａ２、Ｃ２、Ｄ１、Ａ５、Ａ４、Ｄ３、Ａ６へと符号化することを含む。
表１−２２  デュアルストリーム−シングルストリーム送信モードにおける統合フィードバック信号のための符号化方式２
【表３７】
0005615969.tif 000069
表１−２２に示すように、この実施形態で使用され得るコードブック構造は６Ａ−２Ｂ−６Ｃである。このコードブック構造に含まれる符号語は、Ａ１、Ａ２、Ａ３、Ａ４、Ａ５、Ａ６、Ｂ１、Ｂ２、Ｃ１、Ｃ２、Ｃ３、Ｃ４、Ｃ５、Ｃ６とすることができる。デュアルストリーム−シングルストリーム送信モードでの統合フィードバック信号の符号化は、統合フィードバック信号Ｘ０１、Ｘ０２、Ｘ３１、Ｘ３２、Ｘ３０、Ｘ４１、Ｘ４２、Ｘ４０、Ｘ５１、Ｘ５２、Ｘ５０、Ｘ６１、Ｘ６２、Ｘ６０を、それぞれ、Ａ１、Ｂ１、Ｃ１、Ｃ４、Ａ２、Ｃ２、Ｃ５、Ａ４、Ｃ３、Ｃ６、Ａ５、Ａ３、Ｂ２、Ａ６へと符号化することを含む。
表１−２３  デュアルストリーム−シングルストリーム送信モードにおける統合フィードバック信号のための符号化方式３
【表３８】
0005615969.tif 000070
【０１１７】
表１−２３に示すように、この実施形態で使用され得るコードブック構造は６Ａ−２Ｂ−６Ｃである。このコードブック構造に含まれる符号語は、Ａ１、Ａ２、Ａ３、Ａ４、Ａ５、Ａ６、Ｂ１、Ｂ２、Ｃ１、Ｃ２、Ｃ３、Ｃ４、Ｃ５、Ｃ６とすることができる。デュアルストリーム−シングルストリーム送信モードでの統合フィードバック信号の符号化は、統合フィードバック信号Ｘ０１、Ｘ０２、Ｘ３１、Ｘ３２、Ｘ３０、Ｘ４１、Ｘ４２、Ｘ４０、Ｘ５１、Ｘ５２、Ｘ５０、Ｘ６１、Ｘ６２、Ｘ６０をそれぞれ、Ａ１、Ｂ１、Ｃ５、Ａ４、Ｃ１、Ａ２、Ａ５、Ｃ２、Ａ３、Ａ６、Ｃ３、Ｃ６、Ｂ２、Ｃ４へと符号化することを含む。
【０１１８】
シングルストリーム−デュアルストリームモードおよびデュアルストリーム−シングルストリームモードで使用されるコードブック構造および／またはマッピング関係は、例えば、一方の搬送波はＭＩＭＯで構成されず、他方の搬送波はＭＩＭＯで構成されるデュアルストリームモードでのデュアルキャリアのＨＡＲＱ−ＡＣＫ統合符号化や、より多くの搬送波が構成される場合に１４個の１０ビット符号語をフィードバックしさえすればよい符号化システムまたはサブシステムなど、１４個の１０ビット符号語を使用する必要のある符号化システムにおいても適用することができる。
【０１１９】
（４）デュアルストリーム−デュアルストリーム送信モードにおける統合フィードバック信号のための符号化方式
表１−２４  デュアルストリーム−デュアルストリーム送信モードにおける統合フィードバック信号のための符号化方式１
【表３９】
0005615969.tif 000071
【０１２０】
表１−２４に示すように、この実施形態で使用され得るコードブック構造は６Ａ−６Ｂ−６Ｃ−６Ｄである。このコードブック構造に含まれる符号語は、Ａ１、Ａ２、Ａ３、Ａ４、Ａ５、Ａ６、Ｂ１、Ｂ２、Ｂ３、Ｂ４、Ｂ５、Ｂ６、Ｃ１、Ｃ２、Ｃ３、Ｃ４、Ｃ５、Ｃ６、Ｄ１、Ｄ２、Ｄ３、Ｄ４、Ｄ５、Ｄ６とすることができる。デュアルストリーム−デュアルストリーム送信モードでの統合フィードバック信号の符号化は、統合フィードバック信号Ｘ０３、Ｘ０４、Ｘ０５、Ｘ０６、Ｘ３０、Ｘ３３、Ｘ３４、Ｘ３５、Ｘ３６、Ｘ４０、Ｘ４３、Ｘ４４、Ｘ４５、Ｘ４６、Ｘ５０、Ｘ５３、Ｘ５４、Ｘ５５、Ｘ５６、Ｘ６０、Ｘ６３、Ｘ６４、Ｘ６５、Ｘ６６を、それぞれ、Ｃ１、Ｃ２、Ｃ３、Ｃ４、Ａ１、Ｂ４、Ｂ５、Ｂ６、Ｄ１、Ａ２、Ｄ５、Ｄ３、Ｂ３、Ｃ６、Ａ３、Ｄ６、Ｂ２、Ｄ２、Ｃ５、Ａ４、Ｂ１、Ａ６、Ａ５、Ｄ４へと符号化することを含む。
表１−２５  デュアルストリーム−デュアルストリーム送信モードにおける統合フィードバック信号のための符号化方式２
【表４０】
0005615969.tif 000072
【０１２１】
表１−２５に示すように、この実施形態で使用され得るコードブック構造は６Ａ−６Ｂ−６Ｃ−６Ｄである。このコードブック構造に含まれる符号語は、Ａ１、Ａ２、Ａ３、Ａ４、Ａ５、Ａ６、Ｂ１、Ｂ２、Ｂ３、Ｂ４、Ｂ５、Ｂ６、Ｃ１、Ｃ２、Ｃ３、Ｃ４、Ｃ５、Ｃ６、Ｄ１、Ｄ２、Ｄ３、Ｄ４、Ｄ５、Ｄ６とすることができる。デュアルストリーム−デュアルストリーム送信モードでの統合フィードバック信号の符号化は、統合フィードバック信号Ｘ０３、Ｘ０４、Ｘ０５、Ｘ０６、Ｘ３０、Ｘ３３、Ｘ３４、Ｘ３５、Ｘ３６、Ｘ４０、Ｘ４３、Ｘ４４、Ｘ４５、Ｘ４６、Ｘ５０、Ｘ５３、Ｘ５４、Ｘ５５、Ｘ５６、Ｘ６０、Ｘ６３、Ｘ６４、Ｘ６５、Ｘ６６を、それぞれ、Ｂ１、Ｂ２、Ｂ３、Ｂ４、Ａ１、Ｄ４、Ｂ５、Ｄ２、Ｄ１、Ａ２、Ａ５、Ｄ３、Ｂ６、Ｃ６、Ａ３、Ｄ６、Ａ６、Ｃ３、Ｃ５、Ａ４、Ｄ５、Ｃ２、Ｃ１、Ｃ４へと符号化することを含む。
【０１２２】
デュアルストリーム−デュアルストリームモードで使用されるコードブック構造および／またはマッピング関係は、例えば、より多くの搬送波が構成される場合に２４個の１０ビット符号語をフィードバックしさえすればよい符号化システムまたはサブシステムなど、２４個の１０ビット符号語を使用する必要がある符号化システムにおいても適用することができる。
【０１２３】
シングルストリーム−シングルストリーム、シングルストリーム−デュアルストリーム、デュアルストリーム−シングルストリーム、およびデュアルストリーム−デュアルストリームの各送信モードにおける符号化方式は、それぞれ、上記４つの部分で説明されている。他の送信モードの信号空間はこれ４つの信号空間の部分集合であり、そのため、他の送信モードにおける符号化方式は、これら４つの信号空間に従って容易に推定することができる。
【０１２４】
具体的には、シングルストリーム−ＤＴＸ送信モードに対応するコードブック構造は、シングルストリーム−シングルストリーム送信モードに対応するコードブック構造とシングルストリーム−デュアルストリーム送信モードに対応するコードブック構造との共通部分の部分集合であり、ＤＴＸ−シングルストリーム送信モードに対応するコードブック構造は、シングルストリーム−シングルストリーム送信モードに対応するコードブック構造とデュアルストリーム−シングルストリーム送信モードに対応するコードブック構造との共通部分の部分集合であり、デュアルストリーム−ＤＴＸ送信モードに対応するコードブック構造は、デュアルストリーム−シングルストリーム送信モードに対応するコードブック構造とデュアルストリーム−デュアルストリーム送信モードに対応するコードブック構造との共通部分の部分集合であり、ＤＴＸ−デュアルストリーム送信モードに対応するコードブック構造は、シングルストリーム−デュアルストリーム送信モードに対応するコードブック構造とデュアルストリーム−デュアルストリーム送信モードに対応するコードブック構造との共通部分の部分集合である。
【０１２５】
以下に、本発明の一実施形態による各方式を具体例によりさらに説明する。
【０１２６】
この実施形態では、用いられる送信モードとコードブック構造の型とのマッピング関係について、表１−２６を参照することができる。
表１−２６  統合フィードバック信号を符号化する方法の第１の実施形態において用いられる送信モードとコードブック構造の型とのマッピング関係
【表４１】
0005615969.tif 000073
【０１２７】
表１−２６には、各モードで使用されるコードブック構造の型および対応する符号化方式が指定されている。さらに、各モードに対応するコードブック構造内の符号語には値を付ける、すなわち、特定の１０ビットの０−１シーケンスを割り当てる必要がある。
【０１２８】
表１−２６では、異なる送信モードに対応するコードブック構造の型が同じ場合もあり、これは必ずしも同じ特定の符号語が使用されることを意味するとは限らず、対応する各コードブック構造が同じ符号距離関係を有することを意味するにすぎない。これについては以下同様である。さらに、異なる送信モードの対応するコードブック構造で使用される同じ符号語は、必ずしも同じ符号語に対応するとは限らない。例えば、シングルストリーム−ＤＴＸモードで使用されるコードブック構造内の符号語Ａ１は必ずしも、デュアルストリーム−ＤＴＸモードで使用されるコードブック構造内の符号語Ａ１と同じであるとは限らない。
【０１２９】
例えば、信号Ｘ０１とＸ０２とは、同時にシングルストリーム−シングルストリームモードとデュアルストリーム−シングルストリームモードとに属する。表１−２６に示す符号化方式では、表１−１５、表１−１８、表１−２１、および表１−２４を参照すると、Ｘ０１とＸ０２に対応する具体的な符号語は、シングルストリーム−シングルストリームモードではＣ１とＤ１であり、デュアルストリーム−シングルストリームモードではＥ１とＦ１である。しかし、どんな形で示されていようとも、２つの符号語からなるコードブック構造はＡ−Ｂと等価である。すなわち、２つの符号語からなるコードブック構造のコードブック構造の型はＡ−Ｂである。特定の符号語シーケンスに使用されるシンボルは、対応するコードブック構造内の符号語の符号距離関係によって決定される。
【０１３０】
前述の各表内の「−」は、コードブック構造の型において、そのモードの各信号がコードブック構造内の１つの符号語に無作為にマップされ得ることを表す。しかし、異なる信号は異なる符号語へとマップされる。以下の各表において「−」は同じ意味を表し、その説明は省略する。
【０１３１】
送信モードとコードブック構造の型、ならびに用いられる符号化方式とのマッピング関係に従い、統合フィードバック信号Ｘｉｊが符号化される。Ｘｉｊと符号語の値とのマッピング関係については、表１−２７を参照することができる。表１−２７の１０ビットの０−１シーケンスはコードブック構造内の符号語の値を含む。
表１−２７  Ｘｉｊと符号語の値とのマッピング関係
【表４２】
0005615969.tif 000074
0005615969.tif 000075
0005615969.tif 000076
【０１３２】
表１−２７には一具体例が示されている。この例では、各送信モードの信号に対応するコードブック構造は表１−２６のコードブック構造の型を満たす。すなわち、コードブック構造の符号距離行列は表１−２６のコードブック構造の型の符号距離行列と同じである。信号と符号語とのマッピング関係は表１−２６の符号化方式を満たす。すなわち、このマッピング関係において、信号の符号距離行列は表１−２６に示す符号化方式における信号の符号距離行列と同じである。この実施形態は表１−２７のマッピング関係だけに限定されるものではない。表１−２７に基づく単純な変形により得られる任意のマッピング関係もこの実施形態の範囲内に含まれ、例えば、表１−２７に基づいて各列間の順序が無作為に変更され、あるいは、ある列の値の否定が行われる（１が０に変更され、または０が１に変更される）。
【０１３３】
表１−２７には、統合信号と符号器サブモジュールにおいて使用される必要のある符号語とのマッピング関係が示されている。これにより、信号を受信した後で、符号器サブモジュールは、表から統合信号に対応する符号語を検索し、次いでその符号語を出力する。
【０１３４】
この実施形態では、ＤＣ−ＭＩＭＯモードで２つの搬送波のフィードバック信号を符号化する方法が提供され、この方法ではシングルコードチャネルが用いられ、そのため、電力オーバーヘッドが節約され、システムのＣＭ値は影響を受けず、それによってシステムの性能が向上する。さらにこの実施形態では、ＢＥＲおよび検出誤りコストに従って適切なコードブック構造およびフィードバック信号と符号語とのマッピング関係が選択され、そのため、信号検出誤りコストが最小限に抑えられ、システムのデータ伝送効率が高まる。
【０１３５】
以下に、本発明による統合フィードバック信号を符号化する方法の第２の実施形態を示す。
【０１３６】
この実施形態と、統合フィードバック信号を符号化する方法の第１の実施形態との違いは、送信モードとコードブック構造の型とのマッピング関係に存する。この実施形態における送信モードとコードブック構造の型とのマッピング関係については、表１−２８を参照することができる。
表１−２８  統合フィードバック信号を符号化する方法の第２の実施形態において用いられる送信モードとコードブック構造の型とのマッピング関係
【表４３】
0005615969.tif 000077
【０１３７】
この方式は２４個の符号語がありさえすればよい。送信モードとコードブック構造とのマッピング関係に従い、この実施形態では、統合フィードバック信号と符号語とのマッピング関係が提供され、これについては表１−２９で参照することができる。
表１−２９  統合フィードバック信号と符号語とのマッピング関係
【表４４】
0005615969.tif 000078
【０１３８】
さらに、この実施形態では２４個の符号語の値が提供され、これについては表１−３０で参照することができる。
表１−３０  符号語および符号語の値
【表４５】
0005615969.tif 000079
0005615969.tif 000080
【０１３９】
Ｘｉｊと符号語の値とのマッピング関係は表１−２９および表１−３０に従って獲得され、これについては表１−３１で参照することができる。
表１−３１  Ｘｉｊと符号語の値とのマッピング関係
【表４６】
0005615969.tif 000081
0005615969.tif 000082
0005615969.tif 000083
【０１４０】
表１−３１には一具体例が示されている。この例では、各送信モードの信号に対応するコードブック構造は表１−２８のコードブック構造の型を満たす。すなわち、コードブック構造の符号距離行列は表１−２８のコードブック構造の型の符号距離行列と同じである。信号と符号語とのマッピング関係は表１−２８の符号化方式を満たす。すなわち、このマッピング関係において、信号の符号距離行列は表１−２８に示す符号化方式の信号の符号距離行列と同じである。すなわち、表１−２９で示される各方式のマッピング方式は表１−２８の符号化方式またはそれと等価の符号化方式である。この実施形態は表１−３１のマッピング関係だけに限定されるものではない。表１−３１に基づく単純な変形により得られる任意のマッピング関係もこの実施形態の範囲内に含まれ、例えば、表１−３１に基づいて各列間の順序が無作為に変更され、あるいは、ある列の値の否定が行われる。
【０１４１】
以下に、本発明による統合フィードバック信号を符号化する方法の第３の実施形態を示す。
【０１４２】
この実施形態と、統合フィードバック信号を符号化する方法の第１の実施形態との違いは、送信モードとコードブック構造の型とのマッピング関係に存する。この実施形態における送信モードとコードブック構造の型とのマッピング関係は表１−３２で参照することができる。
表１−３２  統合フィードバック信号を符号化する方法の第３の実施形態において用いられる送信モードとコードブック構造の型とのマッピング関係
【表４７】
0005615969.tif 000084
【０１４３】
この方式は全部で２４個の符号語を必要とする。送信モードとコードブック構造とのマッピング関係に従い、この実施形態では、統合フィードバック信号と符号語とのマッピング関係が提供され、これについては表１−３３で参照することができる。
表１−３３  統合フィードバック信号と符号語とのマッピング関係
【表４８】
0005615969.tif 000085
【０１４４】
さらにこの実施形態では、必要な２４個の符号語の値が提供され、これについては表１−３０で参照することができる。
【０１４５】
Ｘｉｊと符号語の値とのマッピング関係は表１−３０および表１−３３により得られ、これについては表１−３４で参照することができる。
表１−３４  Ｘｉｊと符号語の値とのマッピング関係
【表４９】
0005615969.tif 000086
0005615969.tif 000087
0005615969.tif 000088
【０１４６】
表１−３４には一具体例が示されている。この実施形態は表１−３４のマッピング関係だけに限定されるものではない。表１−３４に基づく単純な変形により得られる任意のマッピング関係もこの実施形態の範囲内に含まれ、例えば、表１−３４に基づいて各列間の順序が無作為に変更され、あるいは、ある列の値の否定が行われる。
【０１４７】
以下に、本発明による統合フィードバック信号を符号化する方法の第４の実施形態を示す。
【０１４８】
この実施形態と統合フィードバック信号を符号化する方法の第１の実施形態との違いは送信モードとコードブック構造の型とのマッピング関係に存する。この実施形態における送信モードとコードブック構造の型とのマッピング関係は表１−３５で参照することができる。
表１−３５  統合フィードバック信号を符号化する方法の第４の実施形態において用いられる送信モードとコードブック構造の型とのマッピング関係
【表５０】
0005615969.tif 000089
【０１４９】
この方式は全部で２４個の符号語を必要とする。送信モードとコードブック構造とのマッピング関係に従い、この実施形態では、統合フィードバック信号と符号語とのマッピング関係が提供され、これについては表１−３６で参照することができる。
表１−３６  統合フィードバック信号と符号語とのマッピング関係
【表５１】
0005615969.tif 000090
【０１５０】
さらにこの実施形態では、必要な２４個の符号語の値が提供され、これについては表１−３０で参照することができる。
【０１５１】
表１−３０および表１−３６に従ってＸｉｊと符号語の値とのマッピング関係が獲得され、これについては表１−３７で参照することができる。
表１−３７  Ｘｉｊと符号語の値とのマッピング関係
【表５２】
0005615969.tif 000091
0005615969.tif 000092
0005615969.tif 000093
【０１５２】
表１−３７には一具体例が示されている。この実施形態は表１−３７のマッピング関係だけに限定されるものではない。表１−３７に基づく単純な変形により得られる任意のマッピング関係もこの実施形態の範囲内に含まれ、例えば、表１−３７に基づいて各列間の順序が無作為に変更され、あるいは、ある列の値の否定が行われる。
【０１５３】
以下に、本発明による統合フィードバック信号を符号化する方法の第５の実施形態を示す。
【０１５４】
この実施形態と統合フィードバック信号を符号化する方法の第１の実施形態との違いは送信モードとコードブック構造の型とのマッピング関係に存する。この実施形態における送信モードとコードブック構造の型とのマッピング関係は表１−３８で参照することができる。
表１−３８  統合フィードバック信号を符号化する方法の第５の実施形態において用いられる送信モードとコードブック構造の型とのマッピング関係
【表５３】
0005615969.tif 000094
【０１５５】
この方式は全部で２４個の符号語を必要とする。送信モードとコードブック構造とのマッピング関係に従い、この実施形態では、統合フィードバック信号と符号語とのマッピング関係が提供され、これについては表１−３９で参照することができる。
表１−３９  統合フィードバック信号と符号語とのマッピング関係
【表５４】
0005615969.tif 000095
【０１５６】
さらにこの実施形態では、必要な２４個の符号語の値が提供され、これについては表１−３０で参照することができる。
【０１５７】
表１−３０および表１−３９に従ってＸｉｊと符号語の値とのマッピング関係が獲得され、これについては表１−４０で参照することができる。
表１−４０  Ｘｉｊと符号語の値とのマッピング関係
【表５５】
0005615969.tif 000096
0005615969.tif 000097
0005615969.tif 000098
【０１５８】
表１−４０には一具体例が示されている。この実施形態は表１−４０のマッピング関係だけに限定されるものではない。表１−４０に基づく単純な変形により得られる任意のマッピング関係もこの実施形態の範囲内に含まれ、例えば、表１−４０に基づいて各列間の順序が無作為に変更され、あるいは、ある列の値の否定が行われる。
【０１５９】
以下に、本発明による統合フィードバック信号を符号化する方法の第６の実施形態を示す。
【０１６０】
この実施形態と統合フィードバック信号を符号化する方法の第１の実施形態との違いは送信モードとコードブック構造の型とのマッピング関係に存する。この実施形態における送信モードとコードブック構造の型とのマッピング関係は、表１−４１で参照することができる。
表１−４１  統合フィードバック信号を符号化する方法の第６の実施形態において用いられる送信モードとコードブック構造の型とのマッピング関係
【表５６】
0005615969.tif 000099
【０１６１】
この方式は全部で２４個の符号語を必要とする。送信モードとコードブック構造とのマッピング関係に従い、この実施形態では統合フィードバック信号と符号語とのマッピング関係の一具体例が提供され、これについては表１−４２で参照することができる。
表１−４２  Ｘｉｊと符号語の値とのマッピング関係
【表５７】
0005615969.tif 000100
0005615969.tif 000101
0005615969.tif 000102
【０１６２】
表１−４２には一具体例が示されている。この実施形態は表１−４２のマッピング関係だけに限定されるものではない。表１−４２に基づく単純な変形により得られる任意のマッピング関係もこの実施形態の範囲内に含まれ、例えば、表１−４２に基づいて各列間の順序が無作為に変更され、あるいは、ある列の値の否定が行われる。
【０１６３】
以下に、本発明による統合フィードバック信号を符号化する方法の第７の実施形態を示す。
【０１６４】
この実施形態と統合フィードバック信号を符号化する方法の第１の実施形態との違いは送信モードとコードブック構造の型とのマッピング関係に存する。この実施形態は、内容的にはＭＩＭＯで構成されたシングルキャリアのためのフィードバック方式をカバーし、復号性能に関して第１の実施形態よりわずかに好ましいものである。使用される符号語は以下の通りである。
表１−４３  Ｘｉｊと符号語の値とのマッピング関係
【表５８】
0005615969.tif 000103
0005615969.tif 000104
0005615969.tif 000105
【０１６５】
表１−４３には一具体例が示されている。この実施形態は表１−４３のマッピング関係だけに限定されるものではない。表１−４３に基づく単純な変形により得られる任意のマッピング関係もこの実施形態の範囲内に含まれ、例えば、表１−４３に基づいて各列間の順序が無作為に変更され、あるいは、ある列の値の否定が行われる。
【０１６６】
以下に、本発明による統合フィードバック信号を符号化する方法の第８の実施形態を示す。
【０１６７】
この実施形態では、統合フィードバック信号を符号化する方法において各送信モードで使用されるコードブック構造の型は、第１の実施形態と同じである。しかし、２つの実施形態の違いは、この実施形態はＰＲＥ／ＰＯＳＴモードの性能も考慮することに存する。この実施形態における送信モードとコードブック構造の型とのマッピング関係は、表１−４４で参照することができる。
表１−４４  統合フィードバック信号を符号化する方法の第８の実施形態において用いられる送信モードとコードブック構造の型とのマッピング関係
【表５９】
0005615969.tif 000106
【０１６８】
一具体例を示す。各送信モードで使用されるコードブック構造は、表１−４４で提供されるコードブック構造の型およびマッピング関係を満たすと同時に、ＰＲＥ／ＰＯＳＴモードが用いられるときの好ましい性能も可能にする。Ｘｉｊと符号語の値とのマッピング関係は表１−４５で参照することができる。
表１−４５  Ｘｉｊと符号語の値とのマッピング関係
【表６０】
0005615969.tif 000107
0005615969.tif 000108
0005615969.tif 000109
【０１６９】
ＰＲＥ／ＰＯＳＴ送信モードでの性能をさらに向上させるために、ＰＲＥ／ＰＯＳＴは新しい符号号を使用し得る。表１−４６に実行可能な代替の符号語の対を示す。
表１−４６  第８の実施形態の方式において適用できる新しいＰＲＥ／ＰＯＳＴ符号語の対
【表６１】
0005615969.tif 000110
【０１７０】
表１−４５には一具体例が示されている。この実施形態は表１−４５のマッピング関係だけに限定されるものではない。表１−４５に基づく単純な変形により得られる任意のマッピング関係もこの実施形態の範囲内に含まれ、例えば、表１−４５に基づいて各列間の順序が無作為に変更され、あるいは、ある列の値の否定が行われる。加えて、各送信モードのコードブック構造に対する等価の変形または等価の符号化およびマッピングも行われ、これも、各モードのコードブック構造の型が変更されない限り、保護範囲内に含まれる。
【０１７１】
表１−４６に示す新しいＰＲＥ／ＰＯＳＴ符号語は、ＰＲＥ／ＰＯＳＴ符号語がシングルストリーム−ＤＴＸ、ＤＴＸ−シングルストリーム、デュアルストリーム−ＤＴＸ、およびＤＴＸ−デュアルストリームの各モードに含められた後の最小符号距離が少なくとも４であるという特性を有する。
【０１７２】
ノードＢがデュアルキャリアの両方の搬送波上でデータをスケジュールするときには、ＨＡＲＱ−ＡＣＫ信号の検出時にＰＲＥ／ＰＯＳＴが使用されず、ノードＢがデュアルキャリアの一方の搬送波上でのみデータをスケジュールするときには、ＨＡＲＱ−ＡＣＫ信号の検出時にＰＲＥ／ＰＯＳＴが使用されるものと仮定する。したがって、表１−４７に示すように、表１−４４および表１−４５に従ってより良い性能を有する方式が得られる。
表１−４７  Ｘｉｊと符号語の値とのマッピング関係
【表６２】
0005615969.tif 000111
0005615969.tif 000112
0005615969.tif 000113
【０１７３】
以下に、本発明による統合フィードバック信号を符号化する方法の第９の実施形態を示す。
【０１７４】
この実施形態における統合フィードバック信号を符号化する方法は、コードブック構造の型の別の組み合わせを用いる。しかし、特定の符号語が与えられるときに、この実施形態はＰＲＥ／ＰＯＳＴモードでの性能も考慮する。この実施形態における送信モードとコードブック構造の型とのマッピング関係は、表１−４８で参照することができる。
表１−４８  統合フィードバック信号を符号化する方法の第９の実施形態において用いられる送信モードとコードブック構造の型とのマッピング関係
【表６３】
0005615969.tif 000114
【０１７５】
表１−４８の制約条件を満たす特定の符号語を表１−４９に示す。
表１−４９  Ｘｉｊと符号語の値とのマッピング関係
【表６４】
0005615969.tif 000115
0005615969.tif 000116
0005615969.tif 000117
【０１７６】
ＰＲＥ／ＰＯＳＴ送信モードでの性能をさらに向上させるために、ＰＲＥ／ＰＯＳＴは新しい符号語を使用し得る。実行可能な代替の符号語の対を表１−５０に示す。
表１−５０  第９の実施形態の方式において適用できる新しいＰＲＥ／ＰＯＳＴ符号語の対
【表６５】
0005615969.tif 000118
【０１７７】
表１−４９には一具体例が示されている。この実施形態は表１−４９のマッピング関係だけに限定されるものではない。表１−４９に基づく単純な変形により得られる任意のマッピング関係もこの実施形態の範囲内に含まれ、例えば、表１−４９に基づいて各列間の順序が無作為に変更され、あるいは、ある列の値の否定が行われる。加えて、各送信モードのコードブック構造に対する等価の変形または等価の符号化およびマッピングも行われ、これも、各モードのコードブック構造の型が変更されない限り、保護範囲内に含まれる。
【０１７８】
表１−５０に示す新しいＰＲＥ／ＰＯＳＴ符号語は、ＰＲＥ／ＰＯＳＴ符号語がシングルストリーム−ＤＴＸ、ＤＴＸ−シングルストリーム、デュアルストリーム−ＤＴＸ、およびＤＴＸ−デュアルストリームの各モードに含められた後の最小符号距離が少なくとも４であるという特性を有する。
【０１７９】
ノードＢがデュアルキャリアの両方の搬送波上でデータをスケジュールするときには、ＨＡＲＱ−ＡＣＫ信号の検出時にＰＲＥ／ＰＯＳＴが使用されず、ノードＢがデュアルキャリアの一方の搬送波上でのみデータをスケジュールするときには、ＨＡＲＱ−ＡＣＫ信号の検出時にＰＲＥ／ＰＯＳＴが使用されるものと仮定する。したがって、表１−５１に示すように、表１−４８および表１−４９に従ってより良い性能を有する方式が得られる。
表１−５１  Ｘｉｊと符号語の値とのマッピング関係
【表６６】
0005615969.tif 000119
0005615969.tif 000120
0005615969.tif 000121
【０１８０】
以下に、本発明による統合フィードバック信号を符号化する方法の第１０の実施形態を示す。
【０１８１】
この実施形態では、デュアルストリーム−デュアルストリームモードのために新しいコードブック構造の型が設計される。このコードブック構造の型の符号語は、最小符号距離４を有する３２ビットのコードブック構造からのものである。このコードブック構造は１６対の逆符号（ｉｎｖｅｒｓｅ  ｃｏｄｅ）からなり、これらはＧ１〜Ｇ１６およびＨ１〜Ｈ１６で表される。ＨｉはＧｉの逆符号である。すなわちその符号距離は１０である。Ｇ符号語とＨ符号語との関係は表１−７から表１−９に示されている。
【０１８２】
デュアルストリーム−デュアルストリーム送信モードでは２４個の符号語が必要とされ、ＰＲＥ／ＰＯＳＴ符号語が含まれる場合には全部で２６個の符号が必要とされる。２６個の符号は、Ｇ１〜Ｇ１６およびＨ１〜Ｈ１６の中から選択され得る。
【０１８３】
この実施形態における統合フィードバック信号を符号化する方法は、コードブック構造の型の別の組み合わせを用いる。しかし、特定の符号語が与えられるときには、ＰＲＥ／ＰＯＳＴを含む、３ＧＰＰプロトコルのＴＳ２５．２１２のＲ８に指定されているＨＡＲＱ−ＡＣＫに関連するすべての符号語が適合する。送信モードとコードブック構造の型とのマッピング関係は表１−５２で参照することができる。
表１−５２  統合フィードバック信号を符号化する方法の第１０の実施形態において用いられる送信モードとコードブック構造の型とのマッピング関係
【表６７】
0005615969.tif 000122
【０１８４】
上記表に記載されているコードブック構造の型における符号化およびマッピングの方式を、それぞれ、表１−５３、表１−５４、および表１−５５に示す。
表１−５３  デュアルストリーム−シングルストリームモードのための符号化方式４
【表６８】
0005615969.tif 000123
表１−５４  シングルストリーム−デュアルストリームモードのための符号化方式４
【表６９】
0005615969.tif 000124
表１−５５  デュアルストリーム−デュアルストリームモードのための符号化方式３
【表７０】
0005615969.tif 000125
【０１８５】
表１−５２の制約条件を満たす特定の符号語を表１−５６に示す。
表１−５６  Ｘｉｊと符号語の値とのマッピング関係
【表７１】
0005615969.tif 000126
0005615969.tif 000127
0005615969.tif 000128
【０１８６】
表１−５６には一具体例が示されている。この実施形態は表１−５６のマッピング関係だけに限定されるものではない。表１−５６に基づく単純な変形により得られる任意のマッピング関係もこの実施形態の範囲内に含まれ、例えば、表１−５６に基づいて各列間の順序が無作為に変更され、あるいは、ある列の値の否定が行われる。加えて、各送信モードにおけるコードブック構造に対する等価の変形または等価の符号化およびマッピングも行われ、これも、各モードにおけるコードブック構造の型が変更されない限り、保護範囲内に含まれる。
【０１８７】
以下に、本発明による統合フィードバック信号を符号化する方法の第１１の実施形態を示す。
【０１８８】
この実施形態と第１０の実施形態との違いは、この実施形態がコードブック構造の型の新しい組み合わせを用いることに存する。しかし、特定の符号語が与えられるときには、表１−２に示すように、ＰＲＥ／ＰＯＳＴを含む、３ＧＰＰプロトコルのＴＳ２５．２１２のＲ７に指定されているＨＡＲＱ−ＡＣＫに関連するすべての符号語が適合する。送信モードとコードブック構造の型とのマッピング関係は表１−５７で参照することができる。
表１−５７  統合フィードバック信号を符号化する方法の第１１の実施形態において用いられる送信モードとコードブック構造の型とのマッピング関係
【表７２】
0005615969.tif 000129
表１−５８  デュアルストリーム−シングルストリームモードのための符号化方式５
【表７３】
0005615969.tif 000130
【０１８９】
表１−５９に表１−５７の制約条件を満たす特定の符号語を示す。
表１−５９  Ｘｉｊと符号語の値とのマッピング関係
【表７４】
0005615969.tif 000131
0005615969.tif 000132
0005615969.tif 000133
【０１９０】
表１−５９には一具体例が示されている。この実施形態は表１−５９のマッピング関係だけに限定されるものではない。表１−５９に基づく単純な変形により得られる任意のマッピング関係もこの実施形態の範囲内に含まれ、例えば、表１−５９に基づいて各列間の順序が無作為に変更され、あるいは、ある列の値の否定が行われる。加えて、各送信モードにおけるコードブック構造に対する等価の変形または等価の符号化およびマッピングも行われ、これも、各モードにおけるコードブック構造の型が変更されない限り、保護範囲内に含まれる。
【０１９１】
結論として、本発明の各実施形態では、ＤＣ−ＭＩＭＯ技術におけるＨＡＲＱ−ＡＣＫ信号フィードバックのための解決法が提供される。以上の説明によれば、さらに本発明の各実施形態は、デュアルコードチャネルにも適用することができ、よって、４つのＭＩＭＯを使用した３より多い搬送波または４より少ない搬送波でのＨＡＲＱ−ＡＣＫ情報フィードバックのための技術的解決法を提供する。
【０１９２】
説明を容易にするために、本発明の各実施形態では以下の用語の定義を指定する。
ＳＣ：ＭＩＭＯなしで構成されたシングルキャリアのためのフィードバック方式、すなわち、表１−１に対応するフィードバック方式
ＳＣ−ＭＩＭＯ：ＭＩＭＯで構成されたシングルキャリアのためのフィードバック方式、すなわち、表１−２に対応するフィードバック方式
ＤＣ：ＭＩＭＯなしで構成されたデュアルキャリアのためのフィードバック方式、すなわち、表１−３に対応するフィードバック方式
ＤＣ−ＭＩＭＯ：ＭＩＭＯで構成されたデュアルキャリアのためのフィードバック方式
【０１９３】
表１−６０を参照すると、搬送波の総数およびＭＩＭＯを使用する搬送波の数に従ってデュアルコードチャネルのための解決法が提供されている。
表１−６０  ４つのＭＩＭＯを使用した３より多い搬送波または４より少ない搬送波でのデュアルコードチャネルのＨＡＲＱ−ＡＣＫ情報フィードバックのための技術的解決法
【表７５】
0005615969.tif 000134
0005615969.tif 000135
【０１９４】
例えば、搬送波の総数が４であり、ＭＩＭＯを使用する搬送波の数が４であるとき、第１の搬送波および第２の搬送波の情報は第１のコードチャネルで運ぶことができ、第３の搬送波および第４の搬送波の情報は第２のコードチャネルで運ぶことができる。ＤＣ−ＭＩＭＯ方式は第１のコードチャネルで用いられ、第２のコードチャネルでも用いられる。
【０１９５】
表１−６０では、ＭＩＭＯがデフォルトで先行するいくつかの搬送波上で構成されている。例えば、１つのＭＩＭＯが構成されている場合、そのＭＩＭＯは第１の搬送波上で構成されているとみなされ、２つのＭＩＭＯが構成されている場合、それらのＭＩＭＯは第１の搬送波と第２の搬送波上で構成されており、以下同様であるとみなされる。さらに、ＭＩＭＯなしで構成された搬送波について、フィードバック情報は、ＭＩＭＯシングルストリームのフィードバック情報とみなされ得る。実際の適用においては、搬送波に別のやり方で番号がふられてもよいが、マッピングは、搬送波上のＭＩＭＯ構成および表１−６０における搬送波の数に従って行うことができる。
【０１９６】
本発明の各実施形態において考察されるＤＣ−ＭＩＭＯ方式はＳＣ、ＳＣ−ＭＩＭＯ、およびＤＣと適合するため、各コードチャネルはＤＣ−ＭＩＭＯ符号化モードだけを使用してもよい。（ＭＩＭＯなしで構成される搬送波については、フィードバック信号はＭＩＭＯシングルストリームモードのフィードバック信号とみなされ、シングルキャリアは、第２の搬送波が単にＤＴＸでフィードバックされるデュアルキャリアとみなされ得る）。表１−６１に具体的なマッピング関係を示す。
表１−６１  先行技術のフィードバック方式とＤＣ−ＭＩＭＯフィードバック方式とのマッピング関係
【表７６】
0005615969.tif 000136
【０１９７】
前述のマッピング関係では、３搬送波−４ＭＩＭＯも４搬送波−４ＭＩＭＯも２つのコードチャネルを使用して信号フィードバック問題を解決することができる。各コードチャネルはＤＣ−ＭＩＭＯ符号化モードを使用する。しかし、搬送波分配も指定される必要がある。具体的な分配は表１−６０と同じである。
【０１９８】
以下に、本発明による信号符号化装置の一実施形態を示す。
【０１９９】
図３は、本発明による信号符号化装置の一実施形態の概略的構造図であり、この装置は、具体的には、統合フィードバック信号合成モジュール１１と符号器モジュール１２とを含む。統合フィードバック信号合成モジュール１１は、２つの搬送波がＭＩＭＯで構成されているときに、２つの搬送波のＨＡＲＱ−ＡＣＫ信号を統合フィードバック信号へと合成するように構成されている。符号器モジュール１２は、信号と符号語との所定のマッピング関係に従って統合フィードバック信号を符号語へとマップするように構成されている。
【０２００】
さらに、統合フィードバック信号合成モジュール１１は、第１の搬送波信号合成サブモジュール１３と、第２の搬送波信号合成サブモジュール１４と、統合フィードバック信号合成サブモジュール１５とを含む。第１の搬送波信号合成サブモジュール１３および第２の搬送波信号合成サブモジュール１４は、それぞれ、各搬送波のＨＡＲＱ−ＡＣＫ信号を各搬送波に対応する搬送波フィードバック信号へと合成する。統合フィードバック信号合成サブモジュール１５は、２つの搬送波フィードバック信号を統合フィードバック信号へと合成する。
【０２０１】
当業者は、本発明の各実施形態による方法のステップの全部または一部が関連するハードウェアに命令するプログラムによって実施され得ることを理解することができる。このプログラムはコンピュータ可読記憶媒体に記憶され得る。プログラムが実行されると、本発明の各実施形態による方法のステップが実行される。記憶媒体は、磁気ディスク、コンパクトディスク読取り専用メモリ（ＣＤ−ＲＯＭ）、読取り専用メモリ（ＲＯＭ）、またはランダム・アクセス・メモリ（ＲＡＭ）とすることができる。
【０２０２】
上記実施形態は、本発明を限定するためではなく、単に本発明の技術的解決法を説明するために提供されるにすぎないことに留意すべきである。本発明は前述の各実施形態を参照して詳細に説明されているが、当業者は本発明の趣旨および範囲を逸脱することなく本発明に様々な改変および変形を行い得ることは明らかである。本発明は、それらの改変および変形が添付の特許請求の範囲またはその均等物によって定義される保護の範囲に含まれる限りにおいてそれらを包含するものである。
【図１】
0005615969.tif 000173
【図２】
0005615969.tif 000174
【図３】
0005615969.tif 000175